(57)【要約】【課題】ユーザーの手を煩わせることなく、撮影画像毎に用いた交換型レンズに関する情報を適切に把握できるようにする。【解決手段】ユーザーの指示に応じたタイミングで交換型レンズ１００、撮像素子部２０１を通じて取り込まれた被写体の画像を形成する画像信号を、信号処理部２０２によって処理して記録用の画像データにする。交換型レンズ１００の筐体に搭載されているレンズ情報メモリ１０１から、制御部２１０により、当該交換型レンズ１００のレンズ情報を読み出して取得する。信号処理部２０２により生成した画像データと制御部２１０によって取得したレンズ情報とを含む画像ファイルを記録再生部２０４によって生成し、この画像ファイルを記録再生部２０４によって記録媒体２５０に記録する。【選択図】図１
2009177683.tif 000002
【特許請求の範囲】
【請求項１】
交換型レンズの利用が可能な撮像装置であって、
装着された交換型レンズを通じて自己の結像面に結像するようにされた被写体の画像を、使用者からの指示に応じたタイミングで画像信号として取り込むようにする撮像手段と、
前記撮像手段を通じて取り込まれた画像信号から記録用の画像データを生成する信号処理手段と、
装着された前記交換型レンズの筐体に搭載されているメモリから、当該交換型レンズに関する情報であるレンズ情報を取得する取得手段と、
前記信号処理手段により生成された記録用の前記画像データと、前記取得手段により取得された前記レンズ情報とを含む記録用の画像ファイルを生成する生成手段と、
前記生成手段により生成された記録用の前記画像ファイルを記録媒体に記録する記録手段と
を備えたことを特徴とする撮像装置。
【請求項２】
請求項１に記載の撮像装置であって、
前記レンズ情報は、交換型レンズの識別情報、ブランド名、外観図、レンズ構成図、生産開始時期、発売開始時期の１つ以上の情報を含むことを特徴とする撮像装置。
【請求項３】
請求項１に記載の撮像装置であって、
前記記録媒体に記録された画像ファイルの画像データによる画像の表示指示を受け付ける第１の受付手段と、
前記第１の受付手段を通じて画像の前記表示指示を受け付けた場合に、指示された画像の画像データを前記記録媒体から読み出す画像読み出し手段と、
前記画像読み出し手段により読み出された画像データに応じた画像を表示素子に表示するようにする画像表示処理手段と、
前記表示処理手段により、前記表示素子に表示するようにした画像を撮影したときに使用していた交換型レンズのレンズ情報の表示指示を受け付ける第２の受付手段と、
前記第２の受付手段を通じてレンズ情報の前記表示指示を受け付けた場合に、前記表示指示に応じたレンズ情報を、表示されている画像の画像ファイルから読み出すレンズ情報読み出し手段と、
前記レンズ情報読み出し手段により読み出された前記レンズ情報を、前記表示素子に表示するようにするレンズ情報表示処理手段と
を備えたことを特徴とする撮像装置。
【請求項４】
請求項３に記載の撮像装置であって、
装着されている交換型レンズに搭載されているメモリのレンズ情報と、表示対象の画像を形成する画像データの画像ファイルに付加されているレンズ情報とに基づいて、装着されている交換型レンズと表示対象の画像の撮影に用いられた交換型レンズが同じか否かを判別する判別手段と、
前記判別手段により、装着されている交換型レンズと表示対象の画像の撮影に用いられた交換型レンズが同じであると判別された場合に、前記レンズ情報の一部あるいは全部の表示をしないように制御する表示制御手段と
を備えたことを特徴とする撮像装置。
【請求項５】
請求項１に記載の撮像装置であって、
前記記録媒体に記録された画像ファイルを所定のサーバーにアップロードすることの指示入力を受け付ける指示入力受付手段と、
前記指示入力受付手段を通じて、前記指示入力を受け付けた場合に、前記所定のサーバーにアクセスし、当該サーバーに対して前記画像ファイルを送信することにより画像ファイルのアップロードを行うようにするアップロード手段と
を備えることを特徴とする撮像装置。
【請求項６】
請求項１に記載の撮像装置であって、
前記レンズ情報は、交換型レンズに関する種々の情報のネットワーク上の所在を示すＵＲＬ（Uniform Resource Locators）であることを特徴とする撮像装置。
【請求項７】
請求項６に記載の撮像装置であって、
前記記録媒体に記録された画像ファイルの画像データによる画像の表示指示を受け付ける第１の受付手段と、
前記第１の受付手段を通じて画像の前記表示指示を受け付けた場合に、指示された画像の画像データを前記記録媒体から読み出す画像読み出し手段と、
前記画像読み出し手段により読み出された画像データに応じた画像を表示素子に表示するようにする画像表示処理手段と、
前記表示処理手段により、前記表示素子に表示するようにした画像を撮影したときに使用していた交換型レンズのレンズ情報の表示指示を受け付ける第２の受付手段と、
前記第２の受付手段を通じてレンズ情報の前記表示指示を受け付けた場合に、表示されている画像の画像ファイルから前記ＵＲＬを読み出すＵＲＬ読み出し手段と、
前記レンズ情報読み出し手段により読み出された前記ＵＲＬに基づいて、目的とするサーバーにアクセスし、当該ＵＲＬに対応するレンズ情報をダウンロードするようにする通信処理手段と、
前記通信処理手段を通じてダウンロードするようにした前記レンズ情報を、前記表示素子に表示するようにするレンズ情報表示処理手段と
を備えたことを特徴とする撮像装置。
【請求項８】
請求項７に記載の撮像装置であって、
装着されている交換型レンズに搭載されているメモリのレンズ情報と、表示対象の画像を形成する画像データの画像ファイルに付加されているレンズ情報とに基づいて、装着されている交換型レンズと表示対象の画像の撮影に用いられた交換型レンズが同じか否かを判別する判別手段と、
前記判別手段により、装着されている交換型レンズと表示対象の画像の撮影に用いられた交換型レンズが同じであると判別された場合に、前記レンズ情報の一部あるいは全部の表示をしないように制御する表示制御手段と
を備えたことを特徴とする撮像装置。
【請求項９】
撮影することにより得られた画像の画像データと当該画像の撮影時に用いられていた交換型レンズのレンズ情報とを有する１つ以上の画像ファイルが記録された記録媒体から、目的とする画像の画像データを読み出して再生する再生装置であって、
前記記録媒体に記録された画像ファイルの画像データによる画像の表示指示を受け付ける第１の受付手段と、
前記第１の受付手段を通じて画像の前記表示指示を受け付けた場合に、指示された画像の画像データを前記記録媒体から読み出す画像読み出し手段と、
前記画像読み出し手段により読み出された画像データに応じた画像を表示素子に表示するようにする画像表示処理手段と、
前記表示処理手段により、前記表示素子に表示するようにした画像を撮影したときに使用していた交換型レンズのレンズ情報の表示指示を受け付ける第２の受付手段と、
前記第２の受付手段を通じてレンズ情報の前記表示指示を受け付けた場合に、前記表示指示に応じたレンズ情報を、表示されている画像の画像ファイルから読み出すレンズ情報読み出し手段と、
前記レンズ情報読み出し手段により読み出された前記レンズ情報を、前記表示素子に表示するようにするレンズ情報表示処理手段と
を備えたことを特徴とする再生装置。
【請求項１０】
請求項９に記載の再生装置であって、
前記記録媒体に記録された画像ファイルを所定のサーバーにアップロードすることの指示入力を受け付ける指示入力受付手段と、
前記指示入力受付手段を通じて、前記指示入力を受け付けた場合に、前記所定のサーバーにアクセスし、当該サーバーに対して前記画像ファイルを送信することにより画像ファイルのアップロードを行うようにするアップロード手段と
を備えることを特徴とする再生装置。
【請求項１１】
撮影することにより得られた画像の画像データと当該画像の撮影時に用いられていた交換型レンズについてのレンズ情報の所在を示すＵＲＬ（Uniform Resource Locators）とを有する１つ以上の画像ファイルが記録された記録媒体から、目的とする画像の画像データを読み出して再生する再生装置であって、
前記記録媒体に記録された画像ファイルの画像データによる画像の表示指示を受け付ける第１の受付手段と、
前記第１の受付手段を通じて画像の前記表示指示を受け付けた場合に、指示された画像の画像データを前記記録媒体から読み出す画像読み出し手段と、
前記画像読み出し手段により読み出された画像データに応じた画像を表示素子に表示するようにする画像表示処理手段と、
前記表示処理手段により、前記表示素子に表示するようにした画像を撮影したときに使用していた交換型レンズのレンズ情報の表示指示を受け付ける第２の受付手段と、
前記第２の受付手段を通じてレンズ情報の前記表示指示を受け付けた場合に、表示されている画像の画像ファイルから前記ＵＲＬを読み出すＵＲＬ読み出し手段と、
前記レンズ情報読み出し手段により読み出された前記ＵＲＬに基づいて、目的とするサーバーにアクセスし、当該ＵＲＬに対応するレンズ情報をダウンロードするようにする通信処理手段と、
前記通信処理手段を通じてダウンロードするようにした前記レンズ情報を、前記表示素子に表示するようにするレンズ情報表示処理手段と
を備えたことを特徴とする再生装置。
【請求項１２】
請求項１１に記載の再生装置であって、
前記記録媒体に記録された画像ファイルを所定のサーバーにアップロードすることの指示入力を受け付ける指示入力受付手段と、
前記指示入力受付手段を通じて、前記指示入力を受け付けた場合に、前記所定のサーバーにアクセスし、当該サーバーに対して前記画像ファイルを送信することにより画像ファイルのアップロードを行うようにするアップロード手段と
を備えることを特徴とする再生装置。
【請求項１３】
交換型レンズの利用が可能な撮像装置で用いられる撮像方法であって、
装着された交換型レンズの筐体に搭載されているメモリから、当該交換型レンズに関する情報であるレンズ情報を取得手段が取得する取得工程と、
装着された前記交換型レンズを通じて撮像手段の結像面に結像するようにされた被写体の画像を、使用者からの指示に応じたタイミングで画像信号として取り込むようにする撮像工程と、
前記撮像工程を通じて取り込んだ画像信号から信号処理手段が記録用の画像データを生成する信号処理工程と、
前記信号処理工程において生成した記録用の前記画像データと、前記取得工程において取得した前記レンズ情報とを含む記録用の画像ファイルを生成手段が生成する生成工程と、
前記生成工程において生成した記録用の前記画像ファイルを、記録手段が記録媒体に記録する記録工程と
を有することを特徴とする撮像方法。
【請求項１４】
撮影することにより得られた画像の画像データと当該画像の撮影時に用いられていた交換型レンズのレンズ情報とを有する１つ以上の画像ファイルが記録された記録媒体から、目的とする画像の画像データを読み出して再生する再生装置で用いられる再生方法あって、
前記記録媒体に記録された画像ファイルの画像データによる画像の表示指示を第１の受け付け手段を通じて受け付ける第１の受付工程と、
前記第１の受付工程において画像の前記表示指示を受け付けた場合に、指示された画像の画像データを画像読み出し手段が前記記録媒体から読み出す画像読み出し工程と、
前記画像読み出し工程において読み出した画像データに応じた画像を、画像表示処理手段が表示素子に表示するようにする画像表示処理工程と、
前記表示処理工程により前記表示素子に表示するようにした画像を撮影したときに使用していた交換型レンズのレンズ情報の表示指示を第２の受け付け手段を通じて受け付ける第２の受付工程と、
前記第２の受付工程において、レンズ情報の前記表示指示を受け付けた場合に、前記表示指示に応じたレンズ情報を、表示されている画像の画像ファイルからレンズ情報読み出し手段により読み出すレンズ情報読み出し工程と、
前記レンズ情報読み出し工程において読み出した前記レンズ情報を、レンズ情報表示処理手段が前記表示素子に表示するようにするレンズ情報表示処理工程と
を有することを特徴とする再生方法。
【請求項１５】
撮影することにより得られた画像の画像データと当該画像の撮影時に用いられていた交換型レンズについてのレンズ情報の所在を示すＵＲＬ（Uniform Resource Locators）とを有する１つ以上の画像ファイルが記録された記録媒体から、目的とする画像の画像データを読み出して再生する再生装置で用いられる再生方法であって、
前記記録媒体に記録された画像ファイルの画像データによる画像の表示指示を第１の受け付け手段を通じて受け付ける第１の受付工程と、
前記第１の受付工程において画像の前記表示指示を受け付けた場合に、指示された画像の画像データを画像読み出し手段が前記記録媒体から読み出す画像読み出し工程と、
前記画像読み出し工程において読み出した画像データに応じた画像を、画像表示処理手段が表示素子に表示するようにする画像表示処理工程と、
前記表示処理工程により前記表示素子に表示するようにした画像を撮影したときに使用していた交換型レンズのレンズ情報の表示指示を第２の受け付け手段を通じて受け付ける第２の受付工程と、
前記第２の受付工程において、レンズ情報の前記表示指示を受け付けた場合に、前記表示指示に応じたレンズ情報を、表示されている画像の画像ファイルからレンズ情報読み出し手段により読み出すレンズ情報読み出し工程と、
前記レンズ情報読み出し工程において読み出した前記ＵＲＬに基づいて、通信処理手段が、目的とするサーバーにアクセスし、当該ＵＲＬに対応するレンズ情報をダウンロードするようにする通信処理工程と、
前記通信処理工程においてダウンロードするようにした前記レンズ情報を、レンズ情報表示処理手段により前記表示素子に表示するようにするレンズ情報表示処理工程と
を有することを特徴とする再生方法。
【請求項１６】
撮影することにより得られた画像の画像データと当該画像の撮影時に用いられていた交換型レンズのレンズ情報とを有する１つ以上の画像ファイルがアップロードされるサーバー装置において実行される情報開示プログラムであって、
受信した画像ファイルについて、画像データとレンズ情報とを分離する分離ステップと、
前記分離ステップにおいて分離した画像データとレンズ情報とを、種々の情報処理装置を通じて閲覧可能なように展開して構成しなおす情報構成ステップと、
前記情報構成ステップにおいて構成した情報を、ダウンロード可能な情報として所定のメモリに記録することにより開示する記録ステップと
を前記サーバー装置のコンピュータが実行することを特徴とする情報開示プログラム。
【請求項１７】
請求項１６に記載の情報開示プログラムであって、
前記レンズ情報にＵＲＬ（Uniform Resource Locators）を含む場合には、前記情報構成ステップにおいて、当該ＵＲＬによって示される情報を利用者が容易に取得可能なように、当該ＵＲＬが示す情報への接続手段を作成することを特徴とする情報開示プログラム。
【発明の詳細な説明】
【技術分野】
【０００１】
この発明は、交換型レンズの利用が可能な撮像装置、当該撮像装置で用いられる撮像方法、当該撮像装置によって記録媒体に記録された画像ファイルを再生する再生装置、当該再生装置で用いられる再生方法、当該撮像装置によって記録媒体に記録された画像ファイルをサーバー装置に開示する場合に当該サーバー装置において用いられる情報開示プログラムに関する。
【背景技術】
【０００２】
フィルムに撮影された画像をプリント出力するようにした場合の画質劣化の原因として、カメラのレンズ性能に起因する色収差、歪曲収差、周辺光量の低下、ピントボケなどが挙げられる。これらの原因による撮影画像の画質劣化をプリント出力時において適切に補正できるようにするために、従来から種々の方法が提案されている。
【０００３】
例えば、後に記す特許文献１には、撮影画像の画像処理において用いられる画質劣化の関連情報を写真フィルム、フィルムカートリッジ、記録媒体のうちの少なくとも１つに記録するカメラに関する発明が開示されている。ここで、画質劣化の関連情報は、画質劣化情報、画質劣化補正情報、撮影情報である。
【０００４】
なお、画質劣化情報は、倍率色収差情報、歪曲収差情報、周辺減光情報、ボケ情報、広角歪み情報などの情報であり、画質劣化補正情報は、前述の各画質劣化情報のそれぞれに対応する補正情報である。また、撮影情報は、焦点距離、絞り情報、レンズ種別情報、メーカー識別情報、カメラ種別情報、ストロボ情報、画質劣化識別情報である。これら、画質劣化情報、画質劣化補正情報、撮影情報のそれぞれは、予め用意された複数個の中から選択して指定することができるものである。
【０００５】
そして、撮影画像をプリント出力する場合に、写真フィルム、フィルムカートリッジ、記録媒体に記録されている画質劣化情報、画質劣化補正情報、撮影情報に基づいて、撮影画像に対して補正処理を施してプリント出力することにより、レンズ性能に起因する問題点を除去した高画質な撮影画像のプリント出力を得ることができるようにされている。
【０００６】
この特許文献１に記載された技術は、フィルムに対して撮影画像を記録するいわゆる銀塩カメラの場合に特に有効である。銀塩カメラの場合には、撮影画像はフィルムに記録されるため、このフィルムに記録された撮影画像をデジタル化してプリント出力する場合に、フィルムなどに記録されている情報に基づいて適切に補正処理を施し、高画質の撮影画像をプリント出力することができるためである。
【０００７】
なお、上述した特許文献１は、以下の通りである。
【特許文献１】特開２００２−２０７２４２号公報
【発明の開示】
【発明が解決しようとする課題】
【０００８】
ところで、近年においては、撮影画像をデジタルデータとして記録媒体に記録するデジタルカメラが広く用いられるようになってきている。デジタルカメラの場合、上述のように、撮影画像はデジタルデータ（画像データ）として扱われるため、撮影時点において、その時の撮影条件等に応じて撮影画像を形成する画像データに対して適切に補正処理を行い、高画質な撮影画像を形成する画像データを記録媒体に記録することができるようにされる。このため、上述した特許文献１に記載の技術のように、画質劣化情報、画質劣化補正情報、撮影情報などを記録媒体に記録しておくことに重要な意味は無くなってきている。
【０００９】
しかしながら、デジタルカメラに関する技術は日々進歩しており、高性能の交換レンズ（カメラ本体に対して着脱可能に構成され、自由に交換して利用することができるようにされたレンズ、以下、交換型レンズと言う。）が豊富に提供されている。そして、撮影画像は、交換型レンズとカメラ本体の機能の相乗効果によって得られるものであり、撮影画像が、どのような交換型レンズを用いて撮影されたものであるかが、重要な意味を持つようになってきている。
【００１０】
従来は、カメラマン（ユーザー）自身が撮影時に用いた交換型レンズの名称などをフィルムケースにメモしたり、あるいは、上述した特許文献１に記載の技術のように、予め決められた情報の中から選択するようにしたレンズ種別情報を、フィルムやフィルムカートリッジ、あるいは、記録媒体に記録したりするぐらいの方法しかなかった。
【００１１】
しかしながら、重要なことは、豊富に提供されるようになった様々な交換型レンズを、どのようなタイミングで交換しても、ユーザーの手を煩わせることなく、撮影画像毎に用いた交換型レンズを特定できるようにすることが望まれる。しかも、撮影画像毎に用いた交換型レンズが特定できるだけでなく、用いた交換型レンズの外観、レンズ構成、特徴といった交換レンズの取り扱い説明書ぐらいにしか開示の無い情報についても簡単に取得できるようにすることが望まれている。
【００１２】
以上の点に鑑み、この発明は、ユーザーの手を煩わせることなく、撮影画像毎に用いた交換型レンズに関する情報を適切に把握できるようにすること、また、撮影画像毎に用いた交換型レンズに関する情報を手軽に確認できるようにすることを目的とする。
【課題を解決するための手段】
【００１３】
上記課題を解決するため、請求項１に記載の発明の撮像装置は、
交換型レンズの利用が可能な撮像装置であって、
装着された交換型レンズを通じて自己の結像面に結像するようにされた被写体の画像を、使用者からの指示に応じたタイミングで画像信号として取り込むようにする撮像手段と、
前記撮像手段を通じて取り込まれた画像信号から記録用の画像データを生成する信号処理手段と、
装着された前記交換型レンズの筐体に搭載されているメモリから、当該交換型レンズに関する情報であるレンズ情報を取得する取得手段と、
前記信号処理手段により生成された記録用の前記画像データと、前記取得手段により取得された前記レンズ情報とを含む記録用の画像ファイルを生成する生成手段と、
前記生成手段により生成された記録用の前記画像ファイルを記録媒体に記録する記録手段と
を備えたことを特徴とする。
【００１４】
この請求項１に記載の発明の撮像装置によれば、ユーザーの指示に応じたタイミングで撮像手段を通じて取り込まれた被写体の画像を形成する画像信号は、信号処理手段によって処理されて、記録用の画像データにされる。また、取得手段により、交換型レンズの筐体に搭載されているメモリから、当該交換型レンズのレンズ情報が読み出されて取得される。そして、信号処理手段により生成された画像データと取得手段によって取得されたレンズ情報とを含む画像ファイルが生成手段によって生成され、この画像ファイルが記録手段によって記録媒体に記録される。
【００１５】
これにより、撮影時において、ユーザーの手を煩わせることなく、被写体の画像の撮影に用いた交換型レンズに関するレンズ情報を取得し、被写体の画像を形成する画像データと共にレンズ情報を有する画像ファイルを形成して記録することができるようにされる。すなわち、被写体の画像を形成する画像データ毎に、撮影に用いた交換型レンズのレンズ情報を把握することができるようにされる。
【００１６】
また、請求項２に記載の発明の撮像装置は、請求項１に記載の撮像装置であって、
前記レンズ情報は、交換型レンズの識別情報、ブランド名、外観図、レンズ構成図、生産開始時期、発売開始時期の１つ以上の情報を含むことを特徴とする。
【００１７】
この請求項２に記載の発明の撮像装置によれば、取得手段によって取得されるレンズ情報は、交換型レンズの識別情報、ブランド名、外観図、レンズ構成図、生産開始時期、発売開始時期の内の１つ以上が含められる。これにより、撮影画像毎に、レンズ情報に含められる種々の情報を把握することができるようにされる。
【００１８】
また、請求項３に記載の発明の撮像装置は、請求項２に記載の撮像装置であって、
前記記録媒体に記録された画像ファイルの画像データによる画像の表示指示を受け付ける第１の受付手段と、
前記第１の受付手段を通じて画像の前記表示指示を受け付けた場合に、指示された画像の画像データを前記記録媒体から読み出す画像読み出し手段と、
前記画像読み出し手段により読み出された画像データに応じた画像を表示素子に表示するようにする画像表示処理手段と、
前記表示処理手段により、前記表示素子に表示するようにした画像を撮影したときに使用していた交換型レンズのレンズ情報の表示指示を受け付ける第２の受付手段と、
前記第２の受付手段を通じてレンズ情報の前記表示指示を受け付けた場合に、前記表示指示に応じたレンズ情報を、表示されている画像の画像ファイルから読み出すレンズ情報読み出し手段と、
前記レンズ情報読み出し手段により読み出された前記レンズ情報を、前記表示素子に表示するようにするレンズ情報表示処理手段と
を備えたことを特徴とする。
【００１９】
この請求項３に記載の発明の撮像装置によれば、第１の受付手段を通じて画像の表示指示が受け付けられると、表示が指示された画像の画像データが、画像読み出し手段により記録媒体から読み出され、この読み出された画像データに応じた画像が画像表示処理手段により表示素子に表示するようにされる。そして、第２の受付手段を通じて、表示素子に表示されている画像を撮影したときに使用していた交換型レンズのレンズ情報の表示指示を受け付けると、当該表示指示に応じて、レンズ情報読み出し手段により、表示中の画像を形成する画像データの画像ファイルに付加されているレンズ情報が読み出され、これがレンズ情報表示処理手段により表示素子に表示される。
【００２０】
これにより、ユーザーの手を煩わせることなく、撮影画像毎に用いた交換型レンズに関する情報を適切に把握し、撮影画像毎に用いた交換型レンズに関する情報を手軽に確認できるようにすることができるようにされる。
【００２１】
また、請求項４に記載の発明の撮像装置は、請求項３に記載の撮像装置であって、
装着されている交換型レンズに搭載されているメモリのレンズ情報と、表示対象の画像を形成する画像データの画像ファイルに付加されているレンズ情報とに基づいて、装着されている交換型レンズと表示対象の画像の撮影に用いられた交換型レンズが同じか否かを判別する判別手段と、
前記判別手段により、装着されている交換型レンズと表示対象の画像の撮影に用いられた交換型レンズが同じであると判別された場合に、前記レンズ情報の一部あるいは全部の表示をしないように制御する表示制御手段と
を備えたことを特徴とする。
【００２２】
この請求項４に記載の発明の撮像装置によれば、判別手段により、現在装着されている交換型レンズと、表示中の画像を撮影したときに用いていた交換型レンズとが同じものであると判別された場合に、表示制御手段により、レンズ情報の一部あるいは全部を表示しないように制御される。
【００２３】
これにより、現在装着されている交換型レンズと、表示中の画像を撮影したときに用いていた交換型レンズとが同じものである場合には、交換型レンズの実物を見ることができる状態にあるので、例えば、レンズ情報が交換型レンズの外観図を含むものである場合、交換型レンズの外観図については表示しないようにしたり、あるいは、レンズ情報の全部を表示しないようにしたりして、真に必要なレンズ情報だけを表示することができるようにされる。
【００２４】
また、請求項５に記載の発明の撮像装置は、請求項１に記載の撮像装置であって、
前記記録媒体に記録された画像ファイルを所定のサーバーにアップロードすることの指示入力を受け付ける指示入力受付手段と、
前記指示入力受付手段を通じて、前記指示入力を受け付けた場合に、前記所定のサーバーにアクセスし、当該サーバーに対して前記画像ファイルを送信することにより画像ファイルのアップロードを行うようにするアップロード手段と
を備えることを特徴とする。
【００２５】
この請求項５に記載の発明の撮像装置によれば、指示入力受付手段を通じて画像ファイルの所定のサーバーへのアップロードを行うことの指示入力を受け付けると、アップロード手段により、所定のサーバーにアクセスし、このサーバーに対して画像ファイルをアップロードする処理が行われる。
【００２６】
これにより、撮像装置が、自機において撮像した画像の画像データとその時に用いていた交換型レンズのレンズ情報とを含む画像ファイルを、目的とするサーバーにアップロードし、撮影した画像の画像データと、当該画像の撮影時に用いた交換型レンズに関する情報（レンズ情報）とを所定のサーバーを介して、簡単に、多くの人を対象にして開示することができるようにされる。
【発明の効果】
【００２７】
この発明によれば、ユーザーの手を煩わせることなく、撮影画像毎に用いた交換型レンズに関する情報を適切に把握することができる。また、撮影画像毎に用いた交換型レンズに関する情報を手軽に確認できる。
【発明を実施するための最良の形態】
【００２８】
以下、図を参照しながら、この発明の一実施の形態について説明する。以下においては、第１の実施の形態として、この発明による撮像装置、撮像方法の一実施の形態を説明し、第２の実施の形態として、この発明による再生装置、再生方法の一実施の形態を説明する。また、第１の実施の形態と第２の実施の形態との関連において、画像ファイルがアップロードされるサーバー装置において実行されるこの発明による情報開示プログラムの一実施の形態についても説明する。
【００２９】
以下に説明するいずれの発明も、撮像することにより得た被写体の画像を形成する画像データと、当該画像を撮影したときに用いていた交換型レンズに関するレンズ情報とを共に画像ファイルに記録し、あるいは、画像データと交換型レンズに関するレンズ情報とが共に記録された画像ファイルを利用する点で共通する技術的特徴を有するものである。
【００３０】
［第１の実施の形態］
図１は、この発明による撮像装置、撮像方法の一実施の形態が適用された撮像装置について説明するためのブロック図である。図１に示すように、この実施の形態の撮像装置は、交換型レンズ１００と、カメラ本体２００とからなるものである。
【００３１】
交換型レンズ１００は、例えば、ズームレンズ、単焦点レンズ、広角レンズなど、用途に応じた種々の交換型レンズが提供されており、カメラ本体２００のユーザーは、目的に合わせて適宜の交換型レンズを選択し、カメラ本体２００に装着して利用することができる。すなわち、この実施の形態のカメラ本体２００は、種々の交換型レンズを装着することができるものである。なお、以下に説明する実施の形態において、交換型レンズ１００は、特定の交換型レンズを示すものではなく、種々の交換型レンズを総称するものとして用いている。
【００３２】
そして、交換型レンズ１００には、図１に示すように、レンズ筐体内部にレンズ情報メモリ１０１が内蔵されており、詳しくは後述するが当該メモリ１０１には、当該交換型レンズに関する種々の情報が記憶保持されており、これをカメラ本体２００が取得することにより、カメラ本体２００から交換型レンズ１００を制御したりする場合に用いることなどができるようにされている。
【００３３】
カメラ本体２００は、図１に示すように、撮像素子部２０１、信号処理部２０２、表示部２０３、記録再生部２０４、再生処理部２０５、キー操作部２０６、通信インターフェース（以下、通信Ｉ／Ｆという。）２０７、制御部２１０を備えた、いわゆるデジタルカメラの構成を有するものである。
【００３４】
制御部２１０は、カメラ本体２００を制御することができるとともに、カメラ本体２００に装着された交換型レンズ１００を制御することができるものであり、図１に示すように、ＣＰＵ（Central Processing Unit）２１１、ＲＯＭ（Read Only Memory）２１２、ＲＡＭ（Random Access Memory）２１３、ＥＥＰＲＯＭ（Electrically Erasable and Programmable ROM）２１４が、ＣＰＵバス２１５を通じて接続されて構成されたマイクロコンピュータである。
【００３５】
ここで、ＣＰＵ２１１は、後述するＲＯＭ２１２に記憶保持されているプログラムを読み出して実行し、各部に供給するための制御信号を形成し、これを各部に供給したり、各部から供給されるデータを受け付けてこれを処理したりするなど、この実施の形態の撮像装置の制御の主体となるものである。
【００３６】
ＲＯＭ２１２は、上述したように、ＣＰＵ２１１によって実行される各種のプログラムや処理に必要になる各種のデータなどが予め記憶されたものである。ＲＡＭ２１３は、種々の処理において、その途中結果を一時記憶するなど、主に作業領域として用いられるものである。また、ＥＥＰＲＯＭ２１４は、いわゆる不揮発性メモリであり、カメラ本体２００の電源が落とされても保持しておくべき情報、例えば、ユーザーが設定するようにした種々のパラメータや機能追加等のために新たに提供されたプログラムなどを記憶保持するものである。
【００３７】
撮像素子部２０１は、ＣＣＤ（Charge Coupled Device）やＣＭＯＳ（Complementary Metal oxide Semiconductor）イメージセンサなどの撮像素子を備え、制御部２１０からの制御に応じて、交換型レンズ１００を通じて取り込まれ、撮像素子の結像部に結像した画像を電気信号（画像信号）として取り込み、これを信号処理部２０２に供給するものである。
【００３８】
信号処理部２０２は、制御部２１０の制御に応じて、撮像素子部２０１からの画像信号をデジタル信号に変換し、ホワイトバランス処理やノイズリダクション処理、種々の補正処理を行うと共に、撮像素子部２０１が１枚の撮像素子からなるいわゆる単板の撮像素子部の場合には、モザイク処理（同時化処理）などを行って、三原色信号（ＲＧＢ信号）を形成し、最終的には、ＹＣ変換（輝度色変換）を行って、Ｙ信号（輝度信号）と、Ｃｂ、Ｃｒ信号（色信号）とからなるＹＣ信号（ＹＣデータ）を形成して、これを表示部２０３と、記録再生部２０４とに供給する。
【００３９】
表示部２０３は、例えば、ＬＣＤ（Liquid Crystal Display）と、ＬＣＤコントローラとからなるものであり、制御部２１０の制御に応じて、信号処理部２０２からのＹＣデータからＬＣＤに供給して画像を表示するための表示用の画像信号を形成し、これをＬＣＤに供給することにより、交換レンズ１００を通じて取り込んだ被写体の画像をＬＣＤの表示画面に表示する。
【００４０】
これにより、ユーザーは、表示部２０３のＬＣＤの表示画面に表示される画像により、どのような画像が交換レンズ部１００を通じてカメラ本体２００に取り込まれるようにされているかを確認しながら撮影することができるようにしている。なお、上述したように、表示部２０３は、表示素子としてＬＣＤを用いるものとして説明したが、有機ＥＬ（Electroluminescence）ディスプレイ、ＰＤＰ（Plasma Display Panel）、ＣＲＴ（Cathode-Ray Tube）等の種々の表示素子を用いるようにすることもできる。その場合に、表示素子のコントローラとしては、用いる表示素子に応じたものが用いられるようにされる。
【００４１】
記録再生部２０４は、記録媒体２５０が着脱可能にされていると共に、この装着された記録媒体２０４に対して画像データを書き込んだり、記録媒体２５０に記録されている画像データを読み出したりする機能を備えた記録媒体ドライブを備えたものである。ここで、記録媒体２５０は、例えば、半導体メモリを用いたいわゆるカードメモリや、ＣＤ（Compact Disc）やＤＶＤ（Digital Versatile Disc）などの光ディスク、ＭＤ（登録商標）と呼ばれる小型の光磁気ディスク、着脱可能な構成とされた小型のハードディスクなど種々のものが考えられるが、この実施の形態において、記録媒体２５０は、例えば、カードメモが用いられるものとして説明する。
【００４２】
そして、記録再生部２０４は、後述するキー操作部２０６に設けられているシャッターキーが押下されたタイミングにおいて、制御部２１０の制御に応じて、撮像素子部２０１、信号処理部２０２を通じて取り込まれた被写体の画像データ（ＹＣデータ）の供給を受けて、これをデータ圧縮するなどの処理を行って記録用の画像データに変換し、これを自機に装着されたカードメモリである記録媒体２５０に記録する。これにより、ユーザーは目的とする被写体の画像を、交換型レンズ１００を通じてカメラ本体２００に取り込んで、これをデジタルデータにして記録媒体２５０に記録することができるようにされる。
【００４３】
また、記録再生部２０４は、制御部２１０を通じて、記録媒体２５０に記録されている画像データを再生することに制御信号の供給を受けたときには、指示された画像の画像データを読み出し、これを伸張処理してデータ圧縮前の画像データに復元し、これを再生処理部２０５に供給する。
【００４４】
再生処理部２０５は、制御部２１０の制御に応じて、記録再生部２０４からの画像データについて、例えば、サイズ調整などの処理を施して、表示部２０３に供給する形式の画像データを形成し、これを表示部２０３に供給する。これによりユーザーは、記録媒体２５０に記録されている画像データに応じた画像を、カメラ本体２００の表示部２０３のＬＣＤの表示画面に表示して見ることができるようにされる。
【００４５】
また、キー操作部２０６には、上述したシャッターキーや、種々の調整キーや調整ダイアル、あるいは、種々の設定キーなどからなるものであり、ユーザーからの操作入力を受け付けて、これを電気信号に変換し、制御部２１０に供給することができるものである。これにより、制御部２１０は、ユーザーからの操作入力に応じて各部を制御し、ユーザーの指示に応じた処理を行うことができるようにしている。
【００４６】
また、通信Ｉ／Ｆ部２０７は、例えば、ＵＳＢ（Universal Serial Bus）規格のデジタルインターフェース部である。この通信Ｉ／Ｆ部２０７を通じて、パーソナルコンピュータにカメラ本体２００を接続し、記録再生部２０４に装着されている記録媒体２５０に記録されている画像データを、制御部２１０及び通信Ｉ／Ｆ部２０７を通じてパーソナルコンピュータに供給してバックアップするようにしたり、逆にパーソナルコンピュータからの画像データなどの種々のデータの供給を受けて、これを通信Ｉ／Ｆ部２０７、制御部２１０を通じて受け付けて、記録再生部２０４に装着されている記録媒体２５０に記録したりすることもできるようにされている。
【００４７】
そして、この実施の形態の撮像装置は、上述したように、カメラ本体２００に装着された交換型レンズ１００を通じて捉えられた被写体の画像を、撮像素子部２０１、信号処理部２０２を通じて取り込んで、表示部２０３のＬＣＤの表示画面でその画像を確認しながら撮影を行い、撮影するようにした画像の画像データを記録再生部２０４に装着された記録媒体２５０に記録することができるものである。また、記録再生部２０４に装着された記録媒体２５０に記録されている画像データについては、制御部２１０、記録再生部２０４、再生処理部２０５、表示部２０３が協働して、再生処理し、再生画像を表示部２０３のＬＣＤの表示画面に表示することができるものである。
【００４８】
さらに、この実施の形態の撮像装置の場合には、記録時においては、カメラ本体２００に装着された交換型レンズのレンズ情報メモリ１０１から読み込んだレンズ情報を、画像データに付加した画像ファイルを形成し、これを記録媒体２５０に記録することができるようにしている。また、記録媒体２５０に記録された画像データを再生する場合には、ユーザーからの指示に応じて、当該画像データに付加するようにされているレンズ情報をも表示することもできるようにしている。
【００４９】
図２は、この実施の形態の撮像装置の機能について説明するためのブロック図である。図２に示すように、カメラ本体２００は、交換型レンズ１００を通じて被写体の画像を取り込むと共に、交換型レンズ１００の筐体内に内蔵されているレンズ情報メモリ１０１からレンズ情報を読み出して取得する。
【００５０】
そして、カメラ本体２００は、交換型レンズ１００を通じて取り込んだ被写体の画像を画像データＰＤｔに変換し、当該画像データＰＤｔに対して、撮影時に使用していた交換型レンズ１００のレンズ情報（使用レンズ情報）ＬＤｔを付随させた画像ファイルＰＦを形成し、当該画像ファイルＰＦをカメラ本体２００の記録再生部２０４に装着された記録媒体２５０に対して記録することができるものである。
【００５１】
また、カメラ本体２００は、記録再生部２０４に装着されている記録媒体２５０に記録されている画像ファイルＰＦの画像データＰＤｔやレンズ情報ＬＤｔを読み出し、画像データＰＤｔに応じた画像を表示部２０３のＬＣＤの表示画面に表示したり、レンズ情報ＬＤｔに応じた種々の情報を表示部２０３のＬＣＤの表示画面に表示したりすることができるようにしている。
【００５２】
なお、図２においては、説明を簡単にするため、記録媒体２５０内に１つの画像ファイルＰＦしか示していない。しかし、記録媒体２５０は、通常、数百メガバイトから数ギガバイトの記憶容量を有するものであり、多数の画像ファイルを記録することができるようにされたものである。
【００５３】
［レンズ情報の具体例について］
次に、交換型レンズ１００に設けられるレンズ情報メモリ１０１に記憶保持されるレンズ情報の具体例について説明する。図３は、レンズ情報メモリ１０１に記憶保持されるレンズ情報の具体例を説明するための図である。図３に示すように、レンズ情報メモリ１０１には、レンズ情報として、レンズ識別情報、レンズ制御関連情報、レンズ特徴情報（レンズ詳細情報）、レンズ外観図、レンズ構成図、その他の情報からなっている。
【００５４】
レンズ識別情報は、当該交換型レンズを識別するための情報であり、例えば、図３にも示すように、製造番号、型番、品名、製造開始日（生産開始時期）、販売開始日（販売開始時期）などの情報からなるものである。この他、ブランド名や製造工場記号など、当該交換型レンズを識別するための種々の情報を含めるようにすることも可能である。なお、製造開始日は、２００７年４月や、２００７年上期などのように、生産開始時期として表すようにされる場合もある。販売開始日も同様に、販売開始時期として表すようにされる場合もある。
【００５５】
レンズ制御関連情報は、例えば、カメラ本体２００と協働して、露出（露光）を調整したり、フォーカス（焦点）を調整したりするなどのために必要になる種々の制御関連情報が含まれるものである。
【００５６】
レンズ特徴情報（レンズ詳細情報）は、図３にも示すように、ズームレンズか、単焦点レンズか、広角レンズかなどのレンズの種類を示す情報、当該交換型レンズの使い方に関する情報、撮影上の注意点などの当該交換型レンズに関する詳細情報からなるものである。このレンズ特徴情報は、主にテキストデータからなるものである。
【００５７】
レンズ外観図は、当該交換型レンズの外観を示す図である。このレンズ外観図があることにより、当該交換型レンズそのものがない場合であっても、当該交換レンズの外部構成を表示素子に表示して確認することができるようにされる。したがって、このレンズ外観図は、当該交換型レンズのユーザーよりも、当該交換型レンズを用いて撮影された画像データの利用者にとって有効な情報である。
【００５８】
レンズ構成図は、当該交換型レンズが、いくつのレンズ群から構成され、何枚のレンズを用いたものであるのかを視覚を通じて認識できるようにするものである。このように、レンズ構成図は、レンズ構成の観点から当該交換型レンズの特徴などを把握し、理解する上で重要な情報である。
【００５９】
また、その他の情報として、例えば、メンテナンス上の注意点、代替部品情報など、当該交換型レンズに関する種々の情報が把握することができるようにされる。
【００６０】
このように、交換型レンズ１００のレンズ情報メモリ１０１には、種々のレンズ情報が記憶保持されており、カメラ本体２００の制御部２１０は、自機に装着された交換型レンズ１００のレンズ情報メモリ１０１にアクセスして、レンズ情報を取得し、画像の撮影時において、記録媒体２５０に記録する画像データに対して、レンズ情報を付加することができるようにしている。
【００６１】
［画像ファイルの具体例について］
次に、カメラ本体２００の記録再生部２０４に装着される記録媒体２５０に記録される画像ファイルの具体例について説明する。図４は、記録媒体２５０に記録される画像ファイルの具体例を説明するための図である。この実施の形態のカメラ本体２００は、静止画撮影モードと動画撮影モードとを備えており、静止画と動画とのいずれを撮影することができるようにされたものである。
【００６２】
そして、静止画撮影モードが用いられて被写体の画像の撮影が行われた場合には、図４において静止画ファイルＳＰ１が示すように、ファイル名、ヘッダ情報、使用レンズ情報、静止画データからなる画像ファイルが形成されて、これが記録媒体２５０に記録される。ここで、ファイル名は、当該静止画ファイルＳＰ１を識別するために、制御部２１０の制御により自動的に付与されるものである。ヘッダ情報は、図示しないが、カメラ本体２００に内蔵された時計回路から取得する撮影年月日、撮影時刻などの情報や、制御部２１０が管理するようにしているフォーカスや焦点距離などの撮影条件に関する情報などからなるものである。
【００６３】
そして、使用レンズ情報が、上述もしたように、カメラ本体２００に装着された交換型レンズ１００のレンズ情報メモリ１０１から制御部２１０によって読み出されたレンズ情報であり、これが撮影時において記録再生部２０４に供給されて、図４に示したように、静止画ファイルＳＰ１に付加されたものである。この使用レンズ情報には、図３を用いて説明したように、レンズ識別情報、レンズ特徴情報、レンズ外観図、レンズ構成図、その他の情報が含まれる。
【００６４】
そして、撮影することにより得られた静止画データがメイン情報として、当該静止画ファイルＳＰ１に格納するようにされる。静止画撮影モードが用いられた場合には、図４の静止画ファイルＳＰ１に示した構成の静止画ファイルが形成されて、記録媒体２５０に順次に記録されることになる。
【００６５】
また、動画撮影モードが用いられて被写体の画像の撮影が行われた場合にも、基本的には、図４に示した静止画ファイルＳＰ１と同様の構成を有する動画ファイルが形成されて記録される。すなわち、動画撮影モードが用いられて被写体の画像の撮影が行われた場合には、例えば、図４において動画ファイルＭＰ１が示すように、ファイル名、ヘッダ情報、使用レンズ情報、動画データからなる画像ファイルが形成されて、これが記録媒体２５０に記録される。
【００６６】
ファイル名は、当該動画ファイルＭＰ１を識別するために、制御部２１０の制御により自動的に付与されるものである。ヘッダ情報は、上述もしたように、カメラ本体２００に内蔵された時計回路から取得する撮影年月日、撮影時刻などの情報や、制御部２１０が管理するようにしているフォーカスや焦点距離などの撮影条件に関する情報などからなるものである。
【００６７】
そして、使用レンズ情報が、上述もしたように、カメラ本体２００に装着された交換型レンズ１００のレンズ情報メモリ１０１から制御部２１０によって読み出されたレンズ情報であり、これが撮影時において記録再生部２０４に供給されて、図４に示したように、動画ファイルＭＰ１に付加されたものである。この使用レンズ情報には、図３を用いて説明したように、レンズ識別情報、レンズ特徴情報、レンズ外観図、レンズ構成図、その他の情報を含むものである。
【００６８】
そして、撮影することにより得られた動画データがメイン情報として、当該動画ファイルＭＰ１に格納するようにされる。動画撮影モードが用いられた場合には、図４の動画ファイルＭＰ１に示した構成の動画ファイルが、記録媒体２５０に順次に記録するようにされる。
【００６９】
［画像ファイルの再生態様について］
次に、上述したように、撮影に用いるようにした交換型レンズ１００のレンズ情報が付加するようにされる画像ファイルの再生態様について、その具体例を示しながら説明する。以下においては、静止画像の画像ファイルを再生する場合を例にして説明する。図５〜図１１は、画像ファイルの情報の再生態様の具体例を説明するための図である。
【００７０】
撮影が終了し、記録再生部２０４に装着されている記録媒体２５０に記録された画像ファイルの画像データを再生しようとする場合には、キー操作部２０６を操作して再生モードにする。再生モードにすると、制御部２１０は、記録再生部２０４、再生処理部２０５を制御して、記録媒体２５０に記録されている画像ファイルの画像データによるサムネイル画像を形成し、当該サムネイル画像の一覧表示を行い、目的とする選択入力を受け付けるようにする。
【００７１】
なお、記録媒体２５０に複数の画像ファイルが記録されており、１画面に全ての画像ファイルの画像データに応じたサムネイル画像を表示しきれない場合には、複数の画面に渡ってサムネイル画像を表示することもできるようにされる。すなわち、サムネイル画像のスクロール表示もできるようにされる。
【００７２】
そして、ユーザーは、カメラ本体のキー操作部２０６に設けられている左矢印キー、右矢印キー、上矢印キー、下矢印キーなどを用いて、目的とする画像のサムネイルにカーソルを位置付け、決定キーを押下操作すると、制御部２１０は、記録再生部２０４を制御し、選択された画像の画像ファイルから画像データを読み出し、これを圧縮解凍処理した後に、再生処理部２０５に供給する。
【００７３】
再生処理部２０５は、これに供給された画像データから表示部２０３に供給する画像データを形成し、これを表示部２０３に供給する。そして、表示部２０３は、再生処理部２０５からの画像データから自己のＬＣＤに供給する表示用の画像信号を形成し、これをＬＣＤに供給する。これにより、表示部２０３のＬＣＤの表示画面２０３Ｇには、図５に示すように、ユーザーによって指示された撮影画像が表示される。なお、図５に示した例の表示された撮影画像は山の画像である。
【００７４】
そして、図５のように目的とする画像が、表示部２０３のＬＣＤの表示画面２０３Ｇに表示された状態にあるときに、キー操作部２０６に設けられたメニューキーを押下操作すると、制御部２１０は、図６に示すように、現時点において実行可能な機能を選択可能な項目とする通常のメニューＭＮを形成し、これを再生処理部２０５を通じて表示部２０３に供給する。
【００７５】
これにより、表示部２０３のＬＣＤの表示画面２０３Ｇには、図６に示すように、ユーザーによって指示された撮影画像に、メニューＭＮが重ねて表示するようにされ、メニューＭＮの項目の選択ができるようにされる。なお、図６において、表示画面２０３Ｇの右上端部に表示されている「戻る」アイコンＢＫを選択することにより、メニューＭＮを消去し、図５に示した撮影画像の表示のみの状態に戻ることができるようにされる。
【００７６】
図６に示した状態にあるときに、キー操作部２０６に設けられている下矢印キーを操作し、「レンズ情報」の項目にカーソルを位置付けて決定キーを押下操作すると、制御部２１０は、図７に示すように、「レンズ情報」のうちの表示可能な情報を選択可能な項目とするレンズ情報メニューＬＭＮを形成し、これを再生処理部２０５を通じて表示部２０３に供給する。
【００７７】
これにより、表示部２０３のＬＣＤの表示画面２０３Ｇには、図７に示すように、メニューＭＮに代えて、ユーザーによって指示された撮影画像に、レンズ情報メニューＬＭＮが重ねて表示するようにされ、レンズ情報メニューＬＭＮの項目の選択ができるようにされる。なお、図７において、表示画面２０３Ｇの右上端部に表示されている「戻る」アイコンＢＫを選択することにより、レンズ情報メニューＬＭＮに代えて、メニューＭＮを表示するようにして、図６に示したメニューＭＮが表示された状態に戻ることができるようにされる。
【００７８】
そして、図７の状態にあるときに、キー操作部２０６に設けられている下矢印キーを操作し、「外観図」の項目にカーソルを位置付け決定キーを押下操作すると、制御部２１０は、記録再生部２０４を制御し、現在表示している画像の画像データが格納されている画像ファイルから、これに付加されているレンズ情報の内の外観図を表示するためのデータを読み出し、これを再生処理部２０５を通じて表示部２０３に供給する。
【００７９】
これにより、表示部２０３のＬＣＤの表示画面２０３Ｇには、図８に示すように、撮影画像の表示に代えて、当該撮影画像を撮影したときに用いていた交換型レンズ１００の外観図が表示される。図８に示した例の場合には、外観図だけでなく、当該交換型レンズ１００の各部の名称も表示するようにされている。なお、この図８に示した外観表示の場合にも、表示画面２０３Ｇの右上端部に表示されている「戻る」アイコンＢＫを選択することにより、撮影画像にレンズ情報メニューＬＭＮを表示するようにした、図７に示した状態に戻ることができるようにされる。
【００８０】
また、図７の状態にあるときに、キー操作部２０６に設けられている下矢印キーを操作し、「レンズ構成」の項目にカーソルを位置付け決定キーを押下操作すると、制御部２１０は、記録再生部２０４を制御し、現在表示している画像の画像データが格納されている画像ファイルから、これに付加されているレンズ情報の内のレンズ構成図を表示するためのデータを読み出し、これを再生処理部２０５を通じて表示部２０３に供給する。
【００８１】
これにより、表示部２０３のＬＣＤの表示画面２０３Ｇには、図９に示すように、撮影画像の表示に代えて、当該撮影画像を撮影したときに用いていた交換型レンズ１００のレンズ構成図が表示するようにされる。図９に示した交換型レンズのレンズ構成図の場合には、１９枚のレンズによって構成され、そのうち４枚はＥＤ（特殊低分散）ガラスのレンズであることが示されている。なお、この図９に示したレンズ構成図の場合にも、表示画面２０３Ｇの右上端部に表示されている「戻る」アイコンＢＫを選択することにより、撮影画像にレンズ情報メニューＬＭＮを表示するようにした、図７に示した状態に戻ることができるようにされる。
【００８２】
また、図７の状態にあるときに、キー操作部２０６に設けられている下矢印キーを操作し、「レンズ詳細」の項目にカーソルを位置付け決定キーを押下操作すると、制御部２１０は、記録再生部２０４を制御し、現在、表示している画像の画像データが格納されている画像ファイルから、これに付加されているレンズ情報の内のレンズ詳細情報を表示するためのデータを読み出し、これを再生処理部２０５を通じて表示部２０３に供給する。
【００８３】
これにより、表示部２０３のＬＣＤの表示画面２０３Ｇには、図１０に示すように、撮影画像の表示に代えて、当該撮影画像を撮影したときに用いていた交換型レンズ１００のレンズ詳細情報が表示するようにされる。図１０に示したレンズ詳細情報の場合には、当該交換型レンズの名称、ブランド名、製造開始日、販売開始日、特徴情報などが表示されている状態を示している。そして、図１０に示したレンズ詳細情報の表示画面においては、右上端部には「上スクロール」アイコンＵＰが表示され、右下端部には「下スクロール」アイコンＤＷが表示されている。
【００８４】
この場合、「上スクロール」アイコンＵＰを選択するように、キー操作部２０６の操作キーを操作すると、下側にスクロールされ（画面上において、上側の表示情報が下側に移動するようにされ）、また、「下スクロール」アイコンＤＷを選択するように、キー操作部２０６の操作キーを操作すると、上側にスクロールされる（画面上において、下側の表示情報が上側に移動するようにされる。）。これにより、１画面にレンズ詳細情報が表示しきれない場合であっても、画面表示のスクロールを行うことによって、その全部を表示させることができる。
【００８５】
そして、図１０の状態にあるときに、「下スクロール」アイコンＤＷを選択するようにキー操作部２０６の操作キーを操作していくと、図１１に示すように、例えば、当該交換型レンズの詳細情報の一部として、主な仕様の一覧表を表示するなどのこともできるようにされる。図１１の例の場合には、当該交換型レンズの名称、対応撮像画面サイズ、３５ｍｍ（ミリメートル）判換算の焦点距離イメージ、レンズ構成概要、ＡＰＳ−Ｃ換算の画角、３５ｍｍ版換算の画角、その他種々の情報が表示するようにされる。
【００８６】
この図１１に示したレンズ詳細情報の表示例の場合にも、右上端部には「上スクロール」アイコンＵＰが表示され、右下端部には「下スクロール」アイコンＤＷが表示されている。そして、「上スクロール」アイコンＵＰを選択するように、キー操作部２０６の操作キーを操作すると、下側にスクロールされ（画面上において、上側の表示情報が下側に移動するようにされ）、また、「下スクロール」アイコンＤＷを選択するように、キー操作部２０６の操作キーを操作すると、上側にスクロールされる（画面上において、下側の表示情報が上側に移動するようにされる。）。
【００８７】
また、図１０、図１１のレンズ詳細情報の表示画面においても、表示画面２０３Ｇの右上端部に表示されている「戻る」アイコンＢＫを選択することにより、撮影画像にレンズ情報メニューＬＭＮを表示するようにした、図７に示した状態に戻ることができるようにされる。
【００８８】
このように、この第１の実施の形態の撮像装置においては、被写体の画像を撮影した場合には、撮影することにより得た被写体の画像を形成する画像データと、その撮影時にカメラ本体に装着して用いていた交換型レンズのレンズ情報とが、同じ画像ファイルに格納されて、これが記録媒体に記録される。
【００８９】
そして、記録媒体に記録された画像ファイルについては、当該画像ファイルに格納されている画像データによる画像を再生することができるだけでなく、当該画像ファイルに格納されているレンズ情報に応じた種々の情報をも読み出して再生することができるようにしている。
【００９０】
［撮像装置の動作について］
次に、この第１の実施の形態の撮像装置の動作について、図１２〜図２２のフローチャートを参照しながら説明する。
【００９１】
［レンズ情報の取得処理］
まず、この第１の実施の形態の撮像装置において、交換型レンズ１００に内蔵されたレンズ情報メモリ１０１からレンズ情報を取得する場合の処理について説明する。図１２は、この第１の実施の形態のカメラ本体２００の制御部２１０において実行されるレンズ情報取得処理を説明するためのフローチャートである。この図１２は、カメラ本体２００に対して交換型レンズ１００が装着された場合にカメラ本体２００の制御部２１０において実行される。
【００９２】
カメラ本体２００の制御部２１０は、自機に交換型レンズ１００が装着されたことを検出すると、図１２に示す処理を実行し、自機に装着された交換型レンズ１００のレンズ情報メモリ１０１からレンズ情報を読み出す（ステップＳ１０１）。そして、ステップＳ１０１において読み出したレンズ情報を制御部２１０のＥＥＰＲＯＭ２１４に記憶し（ステップＳ１０２）、この図１２に示した処理を終了する。
【００９３】
これにより、カメラ本体２００の制御部２１０は、自機に装着された交換型レンズ１００のレンズ情報を取得して、当該交換型レンズ１００が自機に装着されている間においては、ＥＥＰＲＯＭ２１４に記憶保持することができるようにされる。
【００９４】
［レンズ情報の消去処理］
次に、この第１の実施の形態の撮像装置において、カメラ本体２００の制御部２１０がＥＥＰＲＯＭ２１４に記憶保持するようにした交換型レンズのレンズ情報を消去する場合の処理について説明する。図１３は、この第１の実施の形態のカメラ本体２００の制御部２１０において実行されるレンズ情報消去処理を説明するためのフローチャートである。この図１３は、カメラ本体２００から、これに装着されていた交換型レンズ１０１が取り外された場合にカメラ本体２００の制御部２１０において実行される。
【００９５】
カメラ本体２００の制御部２１０は、自機に装着されていた交換型レンズ１００が取り外されたことを検出すると、図１３に示す処理を実行し、自機に装着されていた交換型レンズ１００のレンズ情報メモリ１０１から読み出され、ＥＥＰＲＯＭ２１４に記憶保持していたレンズ情報を消去し（ステップＳ２０１）、この図１３に示す処理を終了する。
【００９６】
これにより、カメラ本体２００の制御部２１０は、自機に装着されていた交換型レンズ１００のレンズ情報メモリ１０１から取得してＥＥＰＲＯＭ２１４に記憶保持したレンズ情報を、当該交換型レンズ１００の取り外し時にＥＥＰＲＯＭ２１４から消去することができる。
【００９７】
なお、カメラ本体２００の制御部２１０が、交換型レンズ１００が装着されたことを、あるいは、取り外されたことを検出する構成は、例えば、装着された場合にオンとなり、取り外された場合にオフとなる機械的な構成のスイッチ、同様の電気的構成のスイッチ、同様の磁気的構成のスイッチなど、種々のものを用いるようにすることが可能である。
【００９８】
［撮影処理］
次に、この第１の実施の形態の撮像装置において行われる撮影処理について説明する。図１４は、この第１の実施の形態のカメラ本体２００の制御部２１０において実行される撮影処理を説明するためのフローチャートである。この実施の形態のカメラ本体２００の電源が投入され、撮影可能な状態になった場合に、制御部２１０において実行される処理である。
【００９９】
撮影が可能な状態になると、制御部２１０は、ユーザーによるシャッターキーの押下操作待ちとなり（ステップＳ３０１）、シャッターキーが押下操作されたことを検出すると、制御部２１０は、各部を制御し、交換型レンズ１００、撮像素子部２０１を通じて取り込んだ被写体の画像の画像信号から信号処理部２０２の機能により記録用の画像データを形成する（ステップＳ３０２）。
【０１００】
そして、制御部２１０は、記録再生部２０４を制御し、信号処理部２０２からの記録用の画像データに、ファイル名やヘッダ情報に加えて、ＥＥＰＲＯＭ２１４に記憶保持している自機に装着されている交換型レンズ１００のレンズ情報（使用レンズ情報）を読み出して、当該レンズ情報をも付加した画像ファイルを生成して、この画像ファイルを記録再生部２０４に装着された記録媒体２５０に記録し（ステップＳ３０３）、ステップＳ３０１からの処理を繰り返す。
【０１０１】
これにより、撮影することにより得た被写体の画像の画像データに対して、撮影時に用いていた交換型レンズ１００のレンズ情報を付加した画像ファイルを形成し、これを記録媒体２５０に記録することができるようにされる。
【０１０２】
［画像ファイルの再生処理］
次に、この第１の実施の形態の撮像装置において行われる記録再生部２０４に装着されている記録媒体２５０に記録された画像ファイルの再生処理について説明する。図１５〜図１７は、この第１の実施の形態の撮像装置を構成するカメラ本体２００の制御部２１０によって行うようにされる画像ファイルの再生処理（撮像画像等の再生処理）を説明するためのフローチャートである。
【０１０３】
この第１の実施の形態の撮像装置においては、カメラ本体２００のキー操作部２０６に設けられている操作キーを操作することにより、撮像装置における実行モードを再生モードにすると、制御部２１０は、図１５〜図１７に示す再生処理を実行する。
【０１０４】
まず、制御部２１０は、記録再生部２０４を制御し、装着されている記録媒体２５０に記録されている画像ファイルそれぞれの画像データからサムネイル画像を表示するためのデータを形成し、これを再生処理部２０５を通じて表示部２０３に供給することにより、表示部２０３のＬＣＤの表示画面に撮影された画像のサムネイル画像の一覧表示を行うようにする（ステップＳ４０１）。
【０１０５】
ここでは、記録再生部２０４の機能により、撮影画像についてのサムネイル画像を形成するものとして説明したが、これに限るものではなく、撮影時等の所定のタイミングで予め撮影画像についてのサムネイル画像を表示するためのデータを形成し、これを画像ファイルに記録しておくことにより、サムネイル画像を表示するためのデータを一々形成することなく、必要に応じてサムネイル画像をより迅速に表示できるようにすることも可能である。また、再生処理部２０５などの記録再生部２０４以外の部分にサムネイル画像の形成機能を持たせるようにすることも可能である。
【０１０６】
そして、制御部２１０は、キー操作部２０６を通じてユーザーからのサムネイル画像の選択入力等を受け付けるようにする（ステップＳ４０２）。そして、制御部２１０は、キー操作部２０６の所定の操作キーを通じて行われる再生処理の終了指示を受け付けたか否かを判断する（ステップＳ４０３）。
【０１０７】
ステップＳ４０３の判断処理において、終了指示を受け付けたと判断したときには、制御部２１０は、サムネイル画像の表示を消去するなど、所定の終了処理を行って（ステップＳ４０４）、この図１５〜図１７に示す再生処理を終了する。ステップＳ４０３の判断処理において、終了指示は受け付けていないと判断したときには、制御部２１０は、キー操作部２０６の矢印キーなどの所定の操作キーを通じて行われるサムネイル画像の選択入力を受け付けたか否かを判断する（ステップＳ４０５）。
【０１０８】
ステップＳ４０５の判断処理において、サムネイル画像の選択入力を受け付けたと判断したときには、制御部２１０は、表示部２０３を制御して、受け付けた選択入力に応じて、カーソルの表示位置を移動させ、選択するように指示されたサムネイルファイル画像にカーソルを位置付けるようにし（ステップＳ４０６）、その後、ステップＳ４０２からの処理を繰り返すようにする。
【０１０９】
ステップＳ４０５の判断処理において、サムネイル画像の選択入力を受け付けていないと判断したときには、制御部２１０は、選択されたサムネイル画像の確定入力を受け付けたか否かを判断する（ステップＳ４０７）。ステップＳ４０７の判断処理において、確定入力を受け付けていないと判断したときには、ステップＳ４０２からの処理を繰り返すようにする。
【０１１０】
ステップＳ４０７の判断処理において、選択されたサムネイル画像の確定入力を受け付けたと判断したときには、制御部２１０は、記録再生部２０４を制御して、カーソルが位置付けられているサムネイル画像に対応する画像データが格納されている画像ファイルから当該画像データを読み出して圧縮解凍処理することにより圧縮前の画像データを復元する（ステップＳ４０８）。
【０１１１】
そして、制御部２１０は、記録再生部２０４、再生処理部２０５、表示処理部２０３を制御して、記録再生部２０４において復元した画像データを、再生処理部２０５を通じて表示部２０３に供給することにより、選択された撮影画像を表示部２０３のＬＣＤの表示画面２０３Ｇに表示する（ステップＳ４０９）。これにより、図５を用いて説明したように、記録媒体２５０に記録されている撮影画像のうち、目的とする撮影画像が表示部２０３のＬＣＤの表示画面２０３Ｇに表示される。
【０１１２】
そして、制御部２１０は、キー操作部２０６を通じてユーザーからの指示入力を受け付ける（ステップＳ４１０）。そして、制御部２１０は、キー操作部２０６の所定の操作キーを通じて行われる再生処理の終了指示を受け付けたか否かを判断する（ステップＳ４１１）。
【０１１３】
ステップＳ４１０の判断処理において、終了指示を受け付けたと判断したときには、制御部２１０は、ステップＳ４０９において表示するようにした撮影画像の表示を消去するなど、所定の終了処理をおこなって（ステップＳ４１２）、この図１５〜図１７に示す再生処理を終了する。ステップＳ４１０の判断処理において、終了指示は受け付けていないと判断したときには、図１６のステップＳ４１３の判断処理に進む。
【０１１４】
制御部２１０は、ステップＳ４１０において受け付けた指示入力が、表示する撮影画像を替えるようにする「前進」あるいは「後退」の指示入力であるか否かを判断する（ステップＳ４１３）。ステップＳ４１３の判断処理において、「前進」あるいは「後退」の指示入力を受け付けたと判断したときには、指示された画像を選択するようにし（ステップＳ４１４）、図１５に示したステップＳ４０８からの処理を行って、新たな撮影画像の表示を行うようにする。
【０１１５】
すなわち、図１５に示したステップＳ４１０において、表示する撮影画像を次の撮影画像に変更するようにするための「前進」の指示入力を受け付けたときには、ステップＳ４１４においては、現在表示中の撮影画像の次（直後）に位置する撮影画像を形成する画像データを含む画像ファイルに読み出し位置を位置付けて、図１５のステップＳ４０８からの処理が行うようにされる。
【０１１６】
また、図１５に示したステップＳ４１０において、表示する撮影画像を次の撮影画像に変更するようにするための「後退」の指示入力を受け付けたときには、ステップＳ４１４においては、現在表示中の撮影画像の前（直前）に位置する撮影画像を形成する画像データを含む画像ファイルに読み出し位置を位置付けて、図１５のステップＳ４０８からの処理が行うようにされる。
【０１１７】
ステップＳ４１３の判断処理において、「前進」あるいは「後退」の指示入力を受け付けていないと判断したときには、ステップＳ４１０において受け付けた指示入力は、メニュー表示を指示する指示入力か否かを判断する（ステップＳ４１５）。ステップＳ４１５の判断処理において、受け付けた指示入力はメニュー表示の指示入力ではないと判断したときには、受け付けた指示入力に応じた処理を行い（ステップＳ４１６）、この後、図１５のステップＳ４１０からの処理を繰り返すようにする。なお、ステップＳ４１６で行われるユーザーの指示入力に応じた処理は、種々の調整処理、例えば、表示画像の明るさの調整処理や現在時刻の調整処理などがあげられる。
【０１１８】
また、ステップＳ４１５の判断処理において、受け付けた指示入力はメニュー表示の指示入力であると判断したときには、制御部２１０は、実行可能な機能を選択項目とするメニューＭＮを形成し、これを再生処理部２０５を通じて表示部２０３に供給することにより、図６を用いて説明したように、撮影画像の表示に重ねてメニューＭＮを表示部２０３のＬＣＤの表示画面２０３に表示する（ステップＳ４１７）。
【０１１９】
そして、制御部２１０は、キー操作部２０６を通じて、ユーザーからのメニュー項目等の選択入力等を受け付けるようにし（ステップＳ４１８）、選択入力等を受け付けたか否かを判断する（ステップＳ４１９）。ステップＳ４１９の判断処理において、選択入力等を受け付けていないと判断したときには、ステップＳ４１８からの処理を繰り返すようにする。
【０１２０】
ステップＳ４１９の判断処理において、選択入力等を受け付けたと判断したときには、受け付けたユーザーからの入力は、「戻る」アイコンＢＫの選択入力か否かを判断する（ステップＳ４２０）。ステップＳ４２０の判断処理において、受け付けたユーザーからの入力は、「戻る」アイコンＢＫの選択入力であると判断したときには、表示中のメニューＭＮを消去し（ステップＳ４２１）、図１５のステップＳ４１０からの処理を繰り返すようにする。
【０１２１】
ステップＳ４２０の判断処理において、受け付けたユーザーからの入力は、「戻る」アイコンＢＫの選択入力ではないと判断したときには、制御部２１０は、受け付けたユーザーからの入力は、メニューＭＮの「レンズ情報」の選択入力か否かを判断する（ステップＳ４２２）。
【０１２２】
ステップＳ４２２の判断処理において、受け付けたユーザーからの入力は、メニューＭＮの「レンズ情報」の選択入力ではないと判断したときには、ユーザーからの指示入力に応じた処理を実行し（ステップＳ４２３）、図１６のステップＳ４１７からの処理を繰り返すようにする。ここで、ステップＳ４２３において行われる処理は、ユーザーによって指示された処理であり、例えば、「画質調整」や画像の「削除」などのメニューＭＮの「レンズ情報」以外の他の項目に応じた処理などが行われることになる。
【０１２３】
ステップＳ４２２の判断処理において、受け付けたユーザーからの入力は、メニューＭＮの「レンズ情報」の選択入力であると判断したときには、制御部２１０は、図１７の処理に進み、レンズ情報メニューＬＭＮを形成し、これを再生処理部２０５を通じて表示部２０３に供給することにより、図７を用いて説明したように、撮影画像の表示に重ねて、レンズ情報メニューＬＭＮを表示部２０３のＬＣＤの表示画面２０３に表示する（ステップＳ４２４）。
【０１２４】
そして、制御部２１０は、キー操作部２０６を通じてユーザーからの選択入力等を受け付けるようにし（ステップＳ４２５）、ユーザーからの選択入力等を受け付けたか否かを確認する（ステップＳ４２６）。ステップＳ４２６の判断処理において、ユーザーからの選択入力等を受け付けていないと判断したときには、制御部２１０は、ステップＳ４２５からの処理を繰り返す。
【０１２５】
ステップＳ４２６の判断処理において、ユーザーからの選択入力等を受け付けたと判断したときには、制御部２１０は、受け付けたユーザーからの入力は、「戻る」アイコンＢＫの選択入力か否かを判断する（ステップＳ４２７）。このステップＳ４２７の判断処理において、「戻る」アイコンＢＫの選択入力を受け付けたと判断したときには、制御部２１０は、表示部２０３を制御するようにして、図７を用いて説明したように表示されるレンズ情報メニューＬＭＮを消去し（ステップＳ４２８）、図１６に示したステップＳ４１７からの処理を繰り返し、図６に示したように、通常のメニューＭＮを表示した状態に戻るようにする。
【０１２６】
ステップＳ４２７の判断処理において、「戻る」アイコンＢＫの選択入力を受け付けていないと判断したときには、制御部２１０は、レンズ情報メニューＬＭＮの項目である「外観図」が選択されたか否かを判断する（ステップＳ４２９）。ステップＳ４２９の判断処理において、レンズ情報メニューＬＭＮの項目である「外観図」が選択されたと判断したときには、制御部２１０は、図８を用いて説明したように、現在表示している撮影画像を撮影したときに用いていた交換型レンズの外観図を表示する処理を実行し（ステップＳ４３０）、この後、ステップＳ４２４からの処理を繰り返すようにする。なお、ステップＳ４３０で実行される外観図の表示処理の詳細については後述する。
【０１２７】
ステップＳ４２９の判断処理において、レンズ情報メニューＬＭＮの項目である「外観図」が選択されていないと判断したときには、制御部２１０は、レンズ情報メニューＬＭＮの項目である「レンズ構成図」が選択されたか否かを判断する（ステップＳ４３１）。ステップＳ４３１の判断処理において、レンズ情報メニューＬＭＮの項目である「レンズ構成図」が選択されたと判断したときには、制御部２１０は、図９を用いて説明したように、現在表示している撮影画像を撮影したときに用いていた交換型レンズのレンズ構成図を表示する処理を実行し（ステップＳ４３２）、この後、ステップＳ４２４からの処理を繰り返すようにする。なお、ステップＳ４３２で実行されるレンズ構成図の表示処理の詳細については後述する。
【０１２８】
ステップＳ４３１の判断処理において、レンズ情報メニューＬＭＮの項目である「レンズ構成図」が選択されていないと判断したときには、制御部２１０は、レンズ情報メニューＬＭＮの項目である「レンズ詳細」が選択されたか否かを判断する（ステップＳ４３３）。ステップＳ４３３の判断処理において、レンズ情報メニューＬＭＮの項目である「レンズ詳細」が選択されたと判断したときには、制御部２１０は、図１０、図１１を用いて説明したように、現在表示している撮影画像を撮影したときに用いていた交換型レンズの詳細情報を表示する処理を実行し（ステップＳ４３４）、この後、ステップＳ４２４からの処理を繰り返すようにする。なお、ステップＳ４３４で実行されるレンズ詳細の表示処理の詳細については後述する。
【０１２９】
また、ステップＳ４３３の判断処理において、レンズ情報メニューＬＭＮの項目である「レンズ詳細」が選択されていないと判断したときには、制御部２１０は、有効な入力操作はなされていないと判断し、ステップＳ４２５からの処理を繰り返し、選択入力等受付からの処理を行うようにする。
【０１３０】
このように、この第１の実施の形態の撮像装置において、撮影画像の再生を行う場合には、単に撮影画像を再生することができるだけでなく、表示するようにした（再生するようにした）撮影画像を撮影したときに用いていた交換型レンズ１００についての種々の情報についても必要に応じて表示することができるようにしている。
【０１３１】
［交換型レンズの外観図の表示処理について］
次に、図１７のステップＳ４３０において実行される交換型レンズの外観図の表示処理について説明する。図１８は、図１７のステップＳ４３０において実行される交換型レンズの外観図の表示処理について説明するためのフローチャートである。
【０１３２】
図１８に示すように、交換型レンズの外観図の表示処理においては、制御部２１０は、まず、記録再生部２０４を制御し、現在表示されている撮影画像を形成する画像データが格納されている画像ファイルから、当該画像データに付加するようにされているレンズ情報のうちの外観図を表示するためのデータを読み出し（ステップＳ５０１）、これを再生処理部２０５を通じて表示部２０３に供給することにより、表示部２０３のＬＣＤの表示画面に交換型レンズの外観図を表示する（ステップＳ５０２）。
【０１３３】
そして、制御部２１０は、キー操作部２０６を通じてユーザーからの指示入力を受け付けるようにし（ステップＳ５０３）、「戻る」アイコンＢＫが選択されたか否かを判断する（ステップＳ５０４）。ステップＳ５０４の判断処理において、「戻る」アイコンＢＫが選択されていないと判断したときには、ステップＳ５０３からの処理を繰り返すようにする。
【０１３４】
ステップＳ５０４の判断処理において、「戻る」アイコンＢＫが選択されたと判断したときには、制御部２１０は、再生処理部２０５、表示部２０３を制御し、ステップＳ５０２において表示した交換型レンズの外観図を消去して、当該外観図が表示されるまで表示されていた撮影画像を表示するようにし（ステップＳ５０５）、この図１８に示す外観図の表示処理を終了し、図１７の撮影画像再生ルーチンに戻る。
【０１３５】
なお、ステップＳ５０５において、元の撮影画像を表示する処理は、例えば、制御部２１０や表示部２０３などが備えるメモリに直前まで表示するようにしていた撮影画像を形成する画像データを一時記憶しておき、これを用いるようにする。もちろん、記録再生部２０４に装着されている記録媒体２５０から再度読み出して用いるようにすることもできる。
【０１３６】
［交換型レンズのレンズ構成図の表示処理について］
次に、図１７のステップＳ４３２において実行される交換型レンズのレンズ構成図の表示処理について説明する。図１９は、図１７のステップＳ４３２において実行される交換型レンズのレンズ構成図の表示処理について説明するためのフローチャートである。
【０１３７】
図１９に示すように、交換型レンズのレンズ構成図の表示処理においては、制御部２１０は、まず、記録再生部２０４を制御し、現在表示されている撮影画像を形成する画像データが格納されている画像ファイルから、当該画像データに付加するようにされているレンズ情報のうちのレンズ構成図を表示するためのデータを読み出し（ステップＳ６０１）、これを再生処理部２０５を通じて表示部２０３に供給することにより、表示部２０３のＬＣＤの表示画面に交換型レンズのレンズ構成図を表示する（ステップＳ６０２）。
【０１３８】
そして、制御部２１０は、キー操作部２０６を通じてユーザーからの指示入力を受け付けるようにし（ステップＳ６０３）、「戻る」アイコンＢＫが選択されたか否かを判断する（ステップＳ６０４）。ステップＳ６０４の判断処理において、「戻る」アイコンＢＫが選択されていないと判断したときには、ステップＳ６０３からの処理を繰り返すようにする。
【０１３９】
ステップＳ６０４の判断処理において、「戻る」アイコンＢＫが選択されたと判断したときには、制御部２１０は、再生処理部２０５、表示部２０３を制御し、ステップＳ５０２において表示した交換型レンズのレンズ構成図を消去して、当該レンズ構成図が表示されるまで表示されていた撮影画像を表示するようにし（ステップＳ６０５）、この図１９に示すレンズ構成図の表示処理を終了し、図１７の撮影画像再生ルーチンに戻る。
【０１４０】
なお、ステップＳ６０５において、元の撮影画像を表示する処理は、上述した交換型レンズの外観図の表示処理の場合と同様に、例えば、制御部２１０や表示部２０３などが備えるメモリに直前まで表示するようにしていた撮影画像を形成する画像データを一時記憶しておき、これを用いるようにする。もちろん、記録再生部２０４に装着されている記録媒体２５０から再度読み出して用いるようにすることもできる。
【０１４１】
［交換型レンズのレンズ詳細情報の表示処理について］
次に、図１７のステップＳ４３４において実行される交換型レンズのレンズ詳細情報の表示処理について説明する。図２０は、図１７のステップＳ４３４において実行される交換型レンズのレンズ詳細情報の表示処理について説明するためのフローチャートである。
【０１４２】
図２０に示すように、交換型レンズのレンズ詳細情報の表示処理においては、制御部２１０は、まず、記録再生部２０４を制御し、現在表示されている撮影画像を形成する画像データが格納されている画像ファイルから、当該画像データに付加するようにされているレンズ情報のうちのレンズ詳細情報を表示するためのデータを読み出し（ステップＳ７０１）、これを再生処理部２０５を通じて表示部２０３に供給することにより、表示部２０３のＬＣＤの表示画面に交換型レンズのレンズ詳細情報を表示する（ステップＳ７０２）。
【０１４３】
そして、制御部２１０は、キー操作部２０６を通じてユーザーからの指示入力を受け付けるようにし（ステップＳ７０３）、「上スクロール」アイコンＵＰ、あるいは、「下スクロール」アイコンＤＷを選択する表示画面のスクロールを指示する操作が行われたか否かを判断する（ステップＳ７０４）。
【０１４４】
ステップＳ７０４の判断処理において、スクロールを指示する操作が行われたと判断したときには、制御部２１０は、再生処理部２０５、表示部２０３を制御し、ステップＳ７０１において読み出したレンズ詳細情報に基づいて、レンズ詳細情報の表示をスクロールさせるようにするスクロール処理を実行し（ステップＳ７０５）、その後、ステップＳ７０３からの処理を繰り返すようにする。
【０１４５】
ステップＳ７０４の判断処理において、スクロールを指示する操作が行われていないと判断したときには、制御部２１０は、「戻る」アイコンＢＫが選択されたか否かを判断する（ステップＳ７０６）。ステップＳ７０６の判断処理において、「戻る」アイコンＢＫが選択されていないと判断したときには、ステップＳ７０３からの処理を繰り返すようにする。
【０１４６】
ステップＳ７０６の判断処理において、「戻る」アイコンＢＫが選択されたと判断したときには、制御部２１０は、再生処理部２０５、表示部２０３を制御し、ステップＳ７０２において表示した交換型レンズのレンズ詳細情報を消去して、当該レンズ詳細情報が表示されるまで表示されていた撮影画像を表示するようにし（ステップＳ７０７）、この図２０に示すレンズ詳細情報の表示処理を終了し、図１７の撮影画像再生ルーチンに戻る。
【０１４７】
なお、ステップＳ７０７において、元の撮影画像を表示する処理は、上述した交換型レンズの外観図の表示処理の場合と同様に、例えば、制御部２１０や表示部２０３などが備えるメモリに直前まで表示するようにしていた撮影画像を形成する画像データを一時記憶しておき、これを用いるようにする。もちろん、記録再生部２０４に装着されている記録媒体２５０から再度読み出して用いるようにすることもできる。
【０１４８】
このように、図１７に示した撮影画像再生処理ルーチンにおけるステップＳ４３０の外観図の表示処理、ステップＳ４３２のレンズ構成図の表示処理、ステップＳ４３４のレンズ詳細情報の表示処理により、表示するようにした撮影画像を撮影したときに用いていた交換型レンズの外観図、レンズ構成図、レンズ詳細情報を必要に応じて表示して確認することができる。
【０１４９】
［撮影画像再生処理の他の例について］
次に、撮影画像再生処理の他の例について説明する。図１５〜図１７を用いて説明した撮影画像を再生する処理の場合には、表示するようにした撮影画像を撮影したときに用いていた交換型レンズの外観図、レンズ構成図、レンズ詳細情報を必要に応じて表示することができるようにした。
【０１５０】
しかし、表示するようにした撮影画像を撮影したときに用いていた交換型レンズと同じ交換型レンズがカメラ本体２００に装着されている場合には、現物を直接に見ることができる状態にあるので、交換型レンズの外観図を表示することの重要性は低くなると考えられる。
【０１５１】
また、表示するようにした撮影画像を撮影したときに用いていた交換型レンズと同じ交換型レンズがカメラ本体２００に装着されている場合には、当該交換型レンズについては、ユーザーが熟知している場合も多く、交換型レンズに関するレンズ情報を表示する必要も無い場合もあると考えられる。
【０１５２】
そこで、以下においては、撮影画像再生処理の２つの他の例について説明する。第１の例は、表示するようにした撮影画像を撮影したときに用いていた交換型レンズと同じ交換型レンズがカメラ本体２００に装着されている場合には、交換型レンズの外観図の表示はしないようにする撮影画像再生処理（交換型レンズの外観図の表示を制限する場合）である。
【０１５３】
第２の例は、表示するようにした撮影画像を撮影したときに用いていた交換型レンズと同じ交換型レンズがカメラ本体２００に装着されている場合には、交換型レンズに関するレンズ情報については何も表示しないようにする撮影画像再生処理（交換型レンズの全レンズ情報の表示を制限する場合）である。
【０１５４】
［撮像画像再生処理の第１の他の例］
図２１は、交換型レンズの外観図の表示を制限する場合の撮像画像等の再生処理（撮像画像再生処理の第１の他の例）を説明するためのフローチャートである。ここで説明する撮像画像再生処理の第１の他の例の場合にも、図１５、図１６に示した処理は同様に行われ、記録再生部２０４に装填されている記録媒体２５０に記憶保持されている撮影画像の中から目的とする撮影画像を選択して表示し、通常のメニューＭＮを表示して、画質調整処理、撮影画像の削除処理、レンズ情報の表示処理を行うことができるようにされる。
【０１５５】
そして、図１６に示した処理のステップＳ４１７において受け付けた選択入力が、ステップＳ４２２の判断処理において、メニューＭＮの項目である「レンズ情報」を選択するものであると判断した場合に、制御部２１０は、まず図１７に示した処理に替えて図２１に示す処理を実行する。
【０１５６】
この場合、制御部２１０は、記録再生部２０４を制御して、現在表示中の撮影画像を形成する画像データの画像ファイルから、交換型レンズについてレンズ情報の内、その交換型レンズのレンズ識別情報を読み出す（ステップＳ８０１）。そして、制御部２１０は、ステップＳ８０１において読み出した、表示されている撮影画像を撮影したときに用いていた交換型レンズのレンズ識別情報と、ＥＥＰＲＯＭ２１４に記憶保持しているカメラ本体２００に現在装着されている交換型レンズのレンズ識別情報を比較して、同じ交換型レンズか否かを判断する（ステップＳ８０２）。
【０１５７】
ステップＳ８０２の判断処理において、表示されている撮影画像を撮影したときに用いていた交換型レンズと、カメラ本体２０に現在装着されている交換型レンズとが同じものではないと判断したときには、制御部２１０は、図１７に示した交換型レンズの外観図をも表示可能にするレンズ情報メニューＬＭＮを表示して選択可能にする処理を実行する（ステップＳ８０３）。すなわち、ステップＳ８０３の処理は、先に説明した撮影画像再生処理と同じ処理を行うようにするものである。
【０１５８】
また、ステップＳ８０２の判断処理において、表示されている撮影画像を撮影したときに用いていた交換型レンズと、カメラ本体２００に現在装着されている交換型レンズとが同じものであると判断したときには、制御部２１０は、交換型レンズの外観図を表示するための項目を含まないレンズ情報メニューＬＭＮを形成し、これを再生処理部２０５を介して表示部２０３に供給することにより、交換型レンズの外観図を表示するための項目を含まないレンズ情報メニューＬＭＮを表示部２０３のＬＣＤの表示画面に表示する（ステップＳ８０４）。
【０１５９】
そして、制御部２１０は、キー操作部２０６を通じてユーザーからの選択入力等を受け付けるようにし（ステップＳ８０５）、ユーザーからの選択入力等を受け付けたか否かを確認する（ステップＳ８０６）。ステップＳ８０６の判断処理において、ユーザーからの選択入力等を受け付けていないと判断したときには、制御部２１０は、ステップＳ８０５からの処理を繰り返し、ユーザーからの選択入力等を受け付けるようにする。
【０１６０】
ステップＳ８０６の判断処理において、ユーザーからの選択入力等を受け付けたと判断したときには、制御部２１０は、受け付けたユーザーからの入力は、「戻る」アイコンＢＫの選択入力か否かを判断する（ステップＳ８０７）。このステップＳ８０７の判断処理において、「戻る」アイコンＢＫの選択入力を受け付けたと判断したときには、制御部２１０は、表示部２０３を制御するようにして、「外観図」を表示するための項目の無いレンズ情報メニューＬＭＮを消去し（ステップＳ８０８）、図１６に示したステップＳ４１７からの処理を繰り返し、図６に示したように、通常のメニューＭＮを表示した状態に戻るようにする。
【０１６１】
ステップＳ８０７の判断処理において、「戻る」アイコンＢＫの選択入力を受け付けていないと判断したときには、制御部２１０は、レンズ情報メニューＬＭＮの項目である「レンズ構成図」が選択されたか否かを判断する（ステップＳ８０９）。ステップＳ８０９の判断処理において、レンズ情報メニューＬＭＮの項目である「レンズ構成図」が選択されたと判断したときには、制御部２１０は、図１９のフローチャートを参照しながら説明した、現在表示している撮影画像を撮影したときに用いていた交換型レンズのレンズ構成図を表示する処理を実行し（ステップＳ８１０）、この後、図２１のステップＳ８０４からの処理を繰り返すようにする。
【０１６２】
ステップＳ８０９の判断処理において、レンズ情報メニューＬＭＮの項目である「レンズ構成図」が選択されていないと判断したときには、制御部２１０は、レンズ情報メニューＬＭＮの項目である「レンズ詳細」が選択されたか否かを判断する（ステップＳ８１１）。ステップＳ８１１の判断処理において、レンズ情報メニューＬＭＮの項目である「レンズ詳細」が選択されたと判断したときには、制御部２１０は、図２０のフローチャートを参照しながら説明した、現在表示している撮影画像を撮影したときに用いていた交換型レンズの詳細情報を表示する処理を実行し（ステップＳ８１２）、この後、図２１のステップＳ８０４からの処理を繰り返すようにする。
【０１６３】
また、ステップＳ８１１の判断処理において、レンズ情報メニューＬＭＮの項目である「レンズ詳細」が選択されていないと判断したときには、制御部２１０は、有効な入力操作はなされていないと判断し、図２１のステップＳ８０５からの処理を繰り返し、選択入力等受付からの処理を行うようにする。
【０１６４】
このように、この撮影画像再生処理の第１の変形例の場合には、表示するようにされた撮影画像を撮影したときに用いた交換型レンズと、当該撮影画像の表示時においてカメラ本体２００に装着されている交換型レンズとが同じものである場合に、撮影時に用いた交換型レンズの実物を確認できるので交換型レンズの外観図については表示しないようにして、無駄な表示を行うことがないようにしている。
【０１６５】
なお、ここでは、表示するようにされた撮影画像を撮影したときに用いた交換型レンズと、当該撮影画像の表示時においてカメラ本体２００に装着されている交換型レンズとが同じものである場合に、交換型レンズの外観図を表示しないようにしたが、これに限るものではない。外観図とレンズ構成図との両方を表示しないようにすることもできるし、レンズ詳細情報の一部分、例えば、図１１に示した交換型レンズの仕様表だけを表示するようにすることもできる。すなわち、種々のレンズ情報の内の一部だけを表示するように、レンズ情報の表示を制限することができる。
【０１６６】
［撮像画像再生処理の第２の他の例］
図２２は、交換型レンズの全レンズ情報の表示を制限する場合の撮像画像等の再生処理（撮像画像再生処理の第２の他の例）を説明するためのフローチャートである。ここで説明する撮像画像再生処理の第２の他の例の場合にも、図１５に示した処理は同様に行われ、記録再生部２０４に装填されている記録媒体２５０に記憶保持されている撮影画像の中から目的とする撮影画像を選択して表示することができるようにされる。
【０１６７】
そして、図１５に示したステップＳ４１１の判断処理において、ステップＳ４１０において受け付けた指示入力等は、終了指示ではないと判断した場合には、図２２に示す処理に進み、最初は図１６を用いて説明した場合と同様に、制御部２１０は、ステップＳ４１０において受け付けた指示入力が、表示する撮影画像を代えるようにする「前進」あるいは「後退」の指示入力であるか否かを判断する（ステップＳ４１３）。ステップＳ４１３の判断処理において、「前進」あるいは「後退」の指示入力を受け付けたと判断したときには、指示された画像を選択するようにし（ステップＳ４１４）、図１５に示したステップＳ４０８からの処理を行って、新たな撮影画像の表示を行うようにする。
【０１６８】
ステップＳ４１３の判断処理において、「前進」あるいは「後退」の指示入力を受け付けていないと判断したときには、ステップＳ４１０において受け付けた指示入力は、メニュー表示を指示する指示入力か否かを判断する（ステップＳ４１５）。ステップＳ４１５の判断処理において、受け付けた指示入力はメニュー表示の指示入力ではないと判断したときには、受け付けた指示入力に応じた処理を行い（ステップＳ４１６）、この後、図１５のステップＳ４１０からの処理を繰り返すようにする。
【０１６９】
また、ステップＳ４１５の判断処理において、受け付けた指示入力はメニュー表示の指示入力であると判断したときには、制御部２１０は、記録再生部２０４を制御して、現在表示中の撮影画像を形成する画像データの画像ファイルから、交換型レンズについてレンズ情報の内、その交換型レンズのレンズ識別情報を読み出す（ステップＳ９０１）。
【０１７０】
そして、制御部２１０は、ステップＳ９０１において読み出した、表示されている撮影画像を撮影したときに用いていた交換型レンズのレンズ識別情報と、ＥＥＰＲＯＭ２１４に記憶保持しているカメラ本体２０に現在装着されている交換型レンズのレンズ識別情報を比較して、同じ交換型レンズか否かを判断する（ステップＳ９０２）。
【０１７１】
ステップＳ９０２の判断処理において、表示されている撮影画像を撮影したときに用いていた交換型レンズと、カメラ本体２０に現在装着されている交換型レンズとが同じものではないと判断したときには、制御部２１０は、図１６に示したステップＳ４１７からの処理を続行するようにする（ステップＳ９０３）。
【０１７２】
すなわち、ステップＳ９０２の判断処理において、表示されている撮影画像を撮影したときに用いていた交換型レンズと、カメラ本体２０に現在装着されている交換型レンズとが同じものではないと判断したときには、ステップＳ９０１、ステップＳ９０２の処理が増えただけで、図１５〜図１７に示した撮影画像再生処理と同様の処理を行うようにされる。
【０１７３】
また、ステップＳ９０２の判断処理において、表示されている撮影画像を撮影したときに用いていた交換型レンズと、カメラ本体２００に現在装着されている交換型レンズとが同じものであると判断したときには、制御部２１０は、レンズ情報を表示するための「レンズ情報」と言う選択項目の無いメニューＭＮを形成して、これを再生処理部２０５を介して表示部２０３に供給することにより、当該メニューＭＮを表示部２０３のＬＣＤの画面に表示する（ステップＳ９０４）。
【０１７４】
そして、制御部２１０は、キー操作部２０６を通じてユーザーからの選択入力等を受け付けるようにし（ステップＳ９０５）、ユーザーからの入力を受け付けたか否かを判断する（ステップＳ９０６）。このステップＳ９０６の判断処理において、ユーザーからの入力を受け付けていないと判断したときには、ステップＳ９０５からの処理を繰り返し、ユーザーからの選択入力等を受け付けるようにする。
【０１７５】
ステップＳ９０６の判断処理において、ユーザーからの選択入力を受け付けたと判断したときには、「戻る」アイコンＢＫが選択されたか否かを判断する（ステップＳ９０７）。ステップＳ９０７の判断処理において、「戻る」アイコンＢＫが選択されたと判断したときには、メニューＭＮを消去し（ステップＳ９０８）、図１５のステップＳ４１０からの処理を繰り返すようにする。
【０１７６】
また、ステップＳ９０７の判断処理において、「戻る」アイコンＢＫが選択されていないと判断したときには、ステップＳ９０５において受け付けた指示入力に応じた処理を実行し（ステップＳ９０９）、この後、ステップＳ９０４からの処理を繰り返すようにする。すなわち、表示している撮影画像を撮影したときに用いた交換型レンズと、現在カメラ本体２００に装着されている交換型レンズとが同じものである場合には、レンズ情報については表示しないようにしている。これにより、必要な場合においてのみレンズ情報を表示することができるようにされる。
【０１７７】
このように、この撮影画像再生処理の第２の変形例の場合には、表示するようにされた撮影画像を撮影したときに用いた交換型レンズと、当該撮影画像の表示時においてカメラ本体２００に装着されている交換型レンズとが同じものである場合に、撮影時に用いた交換型レンズの実物を確認できるので交換型レンズのレンズ情報の全部を表示しないようにして、無駄な表示を行うことがないようにしている。
【０１７８】
このように、この第１の実施の形態の撮像装置においては、表示するようにされた撮影画像を撮影したときに用いた交換型レンズと、当該撮影画像の表示時においてカメラ本体２００に装着されている交換型レンズとが同じものであっても、レンズ情報の全部を表示するようにする第１のレンズ情報表示モードと、表示するようにされた撮影画像を撮影したときに用いた交換型レンズと、当該撮影画像の表示時においてカメラ本体２００に装着されている交換型レンズとが同じものである場合に、レンズ情報の内の一部を表示しないようにする第２のレンズ情報表示モードと、表示するようにされた撮影画像を撮影したときに用いた交換型レンズと、当該撮影画像の表示時においてカメラ本体２００に装着されている交換型レンズとが同じものである場合に、レンズ情報の全部を表示しないようにする第３のレンズ情報表示モードとを設け、これらをユーザーが選択して用いるようにすることも可能である。
【０１７９】
［レンズ情報としてＵＲＬ（Uniform Resource Locators）を用いる場合］
以下に説明するレンズ情報としてＵＲＬを用いる撮像装置は、図１を用いて説明した第１の実施の形態の撮像装置と同様に構成されるものである。そして、この例の場合には、レンズ情報としてレンズ特徴情報（レンズ詳細情報）、レンズ外観図、レンズ構成図などの交換型レンズに関する具体的なデータを用いるのではなく、交換型レンズに関する種々の情報を格納したサーバー装置の格納場所を特定するための情報であるＵＲＬ（レンズ情報ＵＲＬ）を用いるようにするものである。
【０１８０】
図２３は、レンズ情報ＵＲＬを用いる場合のこの実施の形態の撮像装置の機能について説明するためのブロック図である。図２３に示すように、カメラ本体２００は、交換型レンズ１００を通じて被写体の画像を取り込むと共に、交換型レンズ１００の筐体内に内蔵されているレンズ情報メモリ１０１からレンズ情報ＵＲＬを読み出して取得する。
【０１８１】
そして、カメラ本体２００は、交換型レンズ１００を通じて取り込んだ被写体の画像を画像データＰＤｔに変換し、当該画像データＰＤｔに対して、撮影時に使用していた交換型レンズ１００のレンズ情報（ＵＲＬを含むもの）ＬＤｔを付随させた画像ファイルＰＦを形成し、当該画像ファイルＰＦをカメラ本体２００の記録再生部２０４に装着された記録媒体２５０に対して記録することができるものである。
【０１８２】
また、カメラ本体２００は、記録再生部２０４に装着されている記録媒体２５０に記録されている画像ファイルＰＦの画像データＰＤｔやレンズ情報ＵＲＬであるレンズ情報ＬＤｔを読み出し、画像データＰＤｔに応じた画像を表示部２０３のＬＣＤの表示画面に表示したり、レンズ情報ＬＤｔであるレンズ情報ＵＲＬを用いて所定のサーバー装置にアクセスし、目的とする交換型レンズのレンズ外観図、レンズ構成図、レンズ特徴情報（レンズ詳細情報）等を取得して表示したりすることができるようにしている。
【０１８３】
なお、図２３においては、説明を簡単にするため、記録媒体２５０内に１つの画像ファイルＰＦしか示していない。しかし、記録媒体２５０は、通常、数百メガバイトから数ギガバイトの記憶容量を有するものであり、多数の画像ファイルを記録することができるようにされたものである。
【０１８４】
また、レンズ情報ＵＲＬを用いて所定のサーバー装置から種々のレンズ情報を取得する場合には、例えば、通信Ｉ／Ｆ２０７を通じて接続される携帯電話端末や通信機能を備えたパーソナルコンピュータなどと協働することにより、所定のサーバー装置にアクセスして目的とするレンズ情報をダウンロードすることができるようにされる。
【０１８５】
［レンズ情報の具体例について］
次に、レンズ情報としてＵＲＬを用いるようにする場合の交換型レンズ１００に設けられるレンズ情報メモリ１０１に記憶保持されるレンズ情報の具体例について説明する。図２４は、レンズ情報メモリ１０１に記憶保持されるレンズ情報の具体例を説明するための図である。図２４に示すように、レンズ情報メモリ１０１には、レンズ情報として、レンズ識別情報、レンズ制御関連情報、レンズ情報ＵＲＬからなっている。
【０１８６】
レンズ識別情報は、図３を用いて前述した場合と同様に、当該交換型レンズを識別するための情報であり、例えば、図２４にも示すように、製造番号、型番、品名、製造開始日、販売開始日などの情報からなるものである。この他、ブランド名や製造工場記号など、当該交換型レンズを識別するための種々の情報を含めるようにすることも可能である。
【０１８７】
レンズ制御関連情報は、例えば、カメラ本体２００と協働して、露出（露光）を調整したり、フォーカス（焦点）を調整したりするなどのために必要になる種々の制御関連情報が含まれるものである。
【０１８８】
レンズ情報ＵＲＬは、上述もしたように、種々のレンズ情報を記憶保持している所定のサーバー装置のデータの格納場所を特定するための情報である。当該ＵＲＬを用いることにより、所定のサーバー装置にアクセスし、目的とする交換型レンズのレンズ外観図、レンズ構成図、レンズ特徴情報（レンズ詳細情報）等を取得して（ダウンロードして）表示するなどして利用することができるようにされる。
【０１８９】
交換型レンズ１００のレンズ情報メモリ１０１には、図２４を用いて説明したような種々のレンズ情報が記憶保持されており、カメラ本体２００の制御部２１０は、自機に装着された交換型レンズ１００のレンズ情報メモリ１０１にアクセスして、レンズ情報を取得し、画像の撮影時において、記録媒体２５０に記録する画像データＰＤｔに対して、レンズ情報ＬＤｔを付加することができるようにしている。
【０１９０】
［画像ファイルの具体例について］
次に、この例のカメラ本体２００の記録再生部２０４に装着される記録媒体２５０に記録される画像ファイルの具体例について説明する。図２５は、記録媒体２５０に記録される画像ファイルの具体例を説明するための図である。この実施の形態のカメラ本体２００は、静止画撮影モードと動画撮影モードとを備えており、静止画と動画とのいずれをも撮影することができるようにされたものである。
【０１９１】
そして、静止画撮影モードが用いられて被写体の画像の撮影が行われた場合には、図２５において静止画ファイルＳＰ１が示すように、ファイル名、ヘッダ情報、レンズ情報ＵＲＬ、静止画データからなる画像ファイルが形成されて、これが記録媒体２５０に記録される。
【０１９２】
ここで、ファイル名は、当該静止画ファイルＳＰ１を識別するために、制御部２１０の制御により自動的に付与されるものである。ヘッダ情報は、カメラ本体２００に内蔵された図示しない時計回路から取得する撮影年月日、撮影時刻などの情報や、制御部２１０が管理するフォーカスや焦点距離などの撮影条件に関する情報などからなるものである。
【０１９３】
そして、レンズ情報ＵＲＬが、上述もしたように、カメラ本体２００に装着された交換型レンズ１００のレンズ情報メモリ１０１から制御部２１０によって読み出されたものであり、これが撮影時において記録再生部２０４に供給されて、図２５に示したように、静止画ファイルＳＰ１に付加されたものである。
【０１９４】
そして、撮影することにより得られた静止画データがメイン情報として、当該静止画ファイルＳＰ１に記録保持するようにされる。静止画撮影モードが用いられた場合には、撮影が行われる毎に、図２５の静止画ファイルＳＰ１に示した構成の静止画ファイルが形成されて、これが記録媒体２５０に順次に記録される。
【０１９５】
また、動画撮影モードが用いられて被写体の画像の撮影が行われた場合にも、基本的には、図２５に示した静止画ファイルＳＰ１と同様の構成を有する動画ファイルが形成されて記録される。すなわち、動画撮影モードが用いられて被写体の画像の撮影が行われた場合には、図２５において動画ファイルＭＰ１が示すように、ファイル名、ヘッダ情報、レンズ情報ＵＲＬ、動画データからなる画像ファイルが形成されて、これが記録媒体２５０に記録される。
【０１９６】
ファイル名は、当該動画ファイルＭＰ１を識別するために、制御部２１０の制御により自動的に付与されるものである。ヘッダ情報は、上述もしたように、カメラ本体２００に内蔵された時計回路から取得する撮影年月日、撮影時刻などの情報や、制御部２１０が管理するフォーカスや焦点距離などの撮影条件に関する情報などからなるものである。
【０１９７】
そして、レンズ情報ＵＲＬが、上述もしたように、カメラ本体２００に装着された交換型レンズ１００のレンズ情報メモリ１０１から制御部２１０によって読み出されたものであり、これが撮影時において記録再生部２０４に供給されて、図２５に示したように、動画ファイルＭＰ１に付加されたものである。
【０１９８】
そして、撮影することにより得られた動画データがメイン情報として、当該動画ファイルＭＰ１に記録保持するようにされる。動画撮影モードが用いられた場合には、図２５の動画ファイルＭＰ１に示した構成の動画ファイルが、記録媒体２５０に順次に記録するようにされる。
【０１９９】
［ＵＲＬを用いたレンズ情報の取得及び表示処理について］
そして、この例の撮像装置の場合には、図２５を用いて説明したように、画像ファイルには、撮影に用いた交換型レンズのレンズ情報メモリから取得したレンズ情報ＵＲＬが付加するようにされているので、このＵＲＬを用いて所定のサーバー装置からレンズ情報を取得して、これを利用することができるようにしている。
【０２００】
この場合、この実施の形態の撮像装置は、携帯電話端末などの通信機器と協働することにより所定のサーバー装置にアクセスして、必要な情報をダウンロードしてきて利用することができるようにしている。図２６は、この実施の形態の撮像装置が、携帯電話端末と協働して所定のサーバー装置からレンズ情報を取得して利用する場合について説明するための図である。
【０２０１】
図２６に示すように、この実施の形態の撮像装置は、交換型レンズ１００とカメラ本体２００とからなっており、カメラ本体２００には、当該カメラ本体２００の通信Ｉ／Ｆ２０７を通じて携帯電話端末３００が接続されている。そして、カメラ本体２００は、キー操作部２０６を通じてユーザーからの撮影画像の再生処理を行うことの指示入力を受け付けると、記録再生部２０４に記憶保持されている撮像画像の中から目的とする撮像画像を選択して表示部２０３のＬＣＤの表示画面に表示する。
【０２０２】
そして、レンズ情報を表示することの指示入力を受け付けた場合には、制御部２１０は、自機の通信Ｉ／Ｆ２０７を通じて接続されている携帯電話端末３００と協働し、基地局４０１を含む携帯電話通信網を介して所定のネットワーク（インターネットなど）４００に接続する。
【０２０３】
そして、現在、表示対象となっている撮影画像の画像ファイルに付加するようにされているレンズ情報ＵＲＬを当該画像ファイルから読み出し、これを用いてネットワーク４００上の目的とするサーバー装置４０２にアクセスし、当該レンズ情報ＵＲＬによって特定されるデータの格納場所からレンズ情報を取得する。レンズ情報は、上述もしたように、レンズ識別情報、レンズ特徴情報（レンズ詳細情報）、レンズ外観図、レンズ構成図、その他の情報からなるものである。
【０２０４】
携帯電話端末３００を介してサーバー装置４０２から取得したレンズ情報は、カメラ本体の通信Ｉ／Ｆ２０７を通じてカメラ本体２００に取り込まれて、例えば、制御部２１０のＥＥＰＲＯＭ２１４に記録され、これを用いて、図８〜図１１を用いて説明したように、ユーザーからの指示に応じたレンズ情報を表示することができるようにされる。
【０２０５】
なお、ここでは、サーバー装置から取得した（ダウンロードした）レンズ情報を、制御部２１０のＥＥＰＲＯＭ２１４に格納するものとして説明したが、これに限るものではない。制御部２１０のＲＡＭ２１３に一時記憶して用いるようにすることもできるし、制御部２１０を通じて記録再生部２０４に装着されている記録媒体２５０の所定の記録領域に例えば画像ファイルに対応付けて記録するようにし、いちいちサーバー装置からダウンロードすることなく、繰り返し利用できるようにすることもできる。
【０２０６】
次に、この例の撮像装置において行われる画像ファイルの再生処理について説明する。この例の撮像装置においても、画像ファイルの再生処理は、基本的には、図１５〜図１７を用いて説明した画像ファイルの再生処理と同様に行われるが、図１５〜図１７を用いて説明した再生処理が、画像ファイルに付加されたレンズ情報を表示するのに対して、この例の撮像装置の場合には、レンズ情報ＵＲＬを用いてアクセスする所定のサーバー装置から、種々のレンズ情報をダウンロードしてきて表示する点が異なっている。
【０２０７】
すなわち、この例の撮像装置においても、画像ファイルの再生する再生モードになるようにされると、図１５に示す処理を実行して、目的とする撮影画像の選択と表示を行ったあと、図１６に示す処理を実行して、図６を用いて説明した通常のメニューＭＮを表示して、選択入力等を受け付けるようにする。
【０２０８】
そして、表示された通常のメニューＭＮから選択項目である「レンズ情報」が選択された場合には、図２７に示す処理を実行する。図２７は、通常のメニューＭＮから選択項目である「レンズ情報」が選択された場合に実行される処理を説明するためのフローチャートであり、基本的に図１７に示したフローチャートの処理と同様の処理を行うものであるが、ステップＳ１００１において実行するレンズ情報取得処理を行う点が、図１７に示したフローチャートの処理とは異なっている。このため、図２７のフローチャートにおいて、図１７に示したフローチャートのステップと同様の処理を行うステップには同じ参照符号を付し、その部分の詳細な説明については省略することとする。
【０２０９】
そして、図１６に示したステップＳ４１８において、通常のメニューＭＮから「レンズ情報」が選択された場合には、ステップＳ４２０、ステップＳ４２２の判断処理を抜けて、図２７に示す処理を実行し、レンズ情報ＵＲＬを用いたレンズ情報取得処理を実行する（ステップＳ１００１）。
【０２１０】
この後、図１７を用いて説明したように、ステップＳ４２４からの処理を行って、レンズ情報メニューＬＭＮを表示し、サーバー装置からダウンロードしてきた表示対象の撮影画像を撮影したときに用いていた交換型レンズの外観図、レンズ構成図、レンズ詳細情報を表示することができるようにされる。
【０２１１】
なお、図１７に示したステップＳ４３０、ステップＳ４３２、ステップＳ４３４においては、必要なレンズ情報を、記録再生部２０４の記録媒体２５０に記録されている画像ファイルから読み出して利用するようにしているのに対して、図２７に示すステップＳ４３０、ステップＳ４３２、ステップＳ４３４においては、後述もするように、必要なレンズ情報は、所定のサーバー装置からダウンロードしてきて、カメラ本体２００の所定のメモリ等に格納されているので、これを用いるようにする。
【０２１２】
このように、記録再生部２０４に装填されている記録媒体の画像ファイルに、レンズ情報ＵＲＬしか付加されていない場合であっても、当該レンズ情報ＵＲＬに基づいて所定のサーバー装置にアクセスし、目的とするレンズ情報を取得してこれを利用することができるようにしている。
【０２１３】
［レンズ情報取得処理について］
次に、図２７に示したステップＳ１００１において実行されるレンズ情報取得処理について説明する。図２８は、この例の撮像装置を構成するカメラ本体２００の制御部２１０において実行されるレンズ情報の取得処理を説明するためのフローチャートである。図２８に示すように、レンズ情報の取得処理においては、制御部２１０は、まず、記録再生部２０４を制御し、現在表示対象になっている撮影画像を形成する画像データの画像ファイルから、これに付加するようにされているレンズ情報ＵＲＬを読み出す（ステップＳ１１０１）。
【０２１４】
次に、制御部２１０は、読み出したレンズ情報ＵＲＬと、当該ＵＲＬを用いて所定のサーバー装置にアクセスするようにするコマンド情報とを、自機の通信Ｉ／Ｆ２０７に接続された携帯電話端末３００に送信し、当該携帯電話端末３００と協働して、目的とするサーバー装置にアクセスするようにする（ステップＳ１１０２）。
【０２１５】
そして、制御部２１０は、通信Ｉ／Ｆ２０７を通じて接続された携帯電話端末３００を介して、所定のサーバー装置にレンズ情報の提供を要求し、当該サーバー装置からレンズ情報をダウンロードするようにする（ステップＳ１１０３）。このように、カメラ本体２００の制御部２１０は、携帯電話端末３００を介して目的とするレンズ情報を所定のサーバー装置からダウンロードし、これを例えばＥＥＰＲＯＭ２１４などの所定のメモリに記録して（ステップＳ１１０４）、この図２８に示すＵＲＬを用いてレンズ情報の取得処理を終了する。
【０２１６】
これにより、カメラ本体２００は、レンズ情報ＵＲＬを用いて、所定のサーバー装置から目的とする交換型レンズのレンズ情報を取得し、これを表示するなどして利用することができるようにされる。
【０２１７】
なお、上述したように、レンズ情報ＵＲＬを用いる場合であっても、表示対象の撮影画像が撮影されたときに用いていた交換型レンズと、カメラ本体２００に現在装着されている交換型レンズとが同じものである場合には、レンズ情報の一部を表示しないようにしたり、レンズ情報の全部を表示しないようにしたりすることもできる。
【０２１８】
表示対象の撮影画像が撮影されたときに用いていた交換型レンズと、カメラ本体２００に現在装着されている交換型レンズとが同じものであるか否かの判断は、レンズ情報ＵＲＬでなく、種々のレンズ情報をそのまま画像ファイルに格納するようにした場合と同様にして、レンズ情報ＵＲＬに加えてレンズ識別情報をも付加しておき、この画像ファイルに付加されたレンズ情報識別情報と、装着されている交換型レンズ１００のレンズ情報メモリ１０１から読み出したレンズ情報識別情報とを比較することにより行うことができる。
【０２１９】
また、表示対象の撮影画像を撮影したときに用いていた交換型レンズのレンズ識別情報についても、レンズ情報ＵＲＬを用いてアクセスする所定のサーバー装置からダウンロードすることにより取得し、このダウンロードしたレンズ識別情報と、装着されている交換型レンズ１００のレンズ情報メモリ１０１から読み出したレンズ識別情報とを比較することにより行うこともできる。なお、この場合、ダウンロードしたレンズ識別情報も、装着されている交換型レンズ１００のレンズ情報メモリ１０１から読み出したレンズ識別情報と同じメモリに格納される場合もあるので、これらのレンズ識別情報については区別して管理するようにされる。
【０２２０】
そして、表示対象の撮影画像が撮影されたときに用いていた交換型レンズと、カメラ本体２００に現在装着されている交換型レンズとが同じものである場合に、レンズ情報の内の外観図の表示をしないようにする場合には、図２７に示したステップＳ１００１の処理の後に、図２１に示した処理を実行するようにすればよい。
【０２２１】
また、表示対象の撮影画像が撮影されたときに用いていた交換型レンズと、カメラ本体２００に現在装着されている交換型レンズとが同じものである場合に、レンズ情報の全部を表示しないようにする場合には、図２２に示す処理を実行し、ステップＳ９０３において、図１６のステップＳ４１７以降の処理を行うようにすると共に、図１６の処理に引き続く処理として、図１７に替えて、図２７に示す処理を行うようにすればよい。
【０２２２】
なお、図２２に示すステップＳ９０１において、画像ファイルにレンズ識別情報が付加されている場合には、それを利用し、付加されていない場合には、ステップＳ９０１において、レンズ情報ＵＲＬを用いてレンズ識別情報をも含むレンズ情報を取得するようにし、表示対象の撮影画像が撮影されたときに用いていた交換型レンズと、カメラ本体２００に現在装着されている交換型レンズとが同じものであるか否かを判断するようにすればよい。
【０２２３】
このように、レンズ情報ＵＲＬを用いる場合であっても、表示対象の撮影画像が撮影されたときに用いていた交換型レンズと、カメラ本体２００に現在装着されている交換型レンズとが同じものである場合には、レンズ情報の一部または全部の表示の制限を行うようにすることができる。
【０２２４】
［画像ファイルのアップロードについて］
図２６を用いて説明したように、この実施の形態の撮像装置は、携帯電話端末などの通信機器と協働することによって、ネットワーク４００上のサーバー装置４０２にアクセスすることができるものである。したがって、サーバー装置から情報をダウンロードするだけでなく、目的とするサーバー装置にアクセスして、画像ファイルをアップロードし、広く公衆に公開するようにすることもできる。
【０２２５】
サーバー装置への接続態様は、図２６を用いて説明した通りであるので、ここでは、この実施の形態の撮像装置が、自機に接続された携帯電話端末と協働して画像ファイルをアップロードする処理について説明する。図２９は、主に撮像装置を構成するカメラ本体の制御部２１０において実行するようにされる画像ファイルのアップロード処理について説明するためのフローチャートである。
【０２２６】
キー操作部２０６を通じて行われるユーザーからの操作入力により、基本メニューを表示することの指示入力を受けつけた場合に、制御部２１０は、基本メニューを形成し、これを再生処理部２０５を通じて表示部２０３に供給し、表示部２０３のＬＣＤの表示画面に基本メニューを表示し、当該基本メニューを構成する選択項目の選択入力を受け付ける。
【０２２７】
そして、制御部２１０は、当該基本メニューの選択項目の中に存在する「画像ファイルのアップロード」と言う項目が選択されると、図２９に示す画像ファイルのアップロード処理を実行する。
【０２２８】
まず、制御部２１０は、例えば、撮像画像の再生処理時と同様に、記録再生部２０４に装着されている記録媒体２５０に記録されている撮像画像についてのサムネイル画像の一覧表示を行うようにし、アップロードする撮像画像の選択入力を受け付ける（ステップＳ１２０１）。ステップＳ１２０１においては、目的とする撮像画像を１つだけ選択することもできるし、複数の撮像画像を選択することもできるし、また、記録媒体２５０に記録されている全ての撮像画像を一括して選択するようにすることもできるようにされる。
【０２２９】
そして、制御部２１０は、例えば、自機のＥＥＰＲＯＭ２１４に予め設定するようにされているアップロード先のサーバー装置のＵＲＬを用いて、自機の通信Ｉ／Ｆ２０７に接続されている携帯電話端末と協働して、画像ファイルをアップロードする目的とするサーバー装置にアクセスする（ステップＳ１２０２）。
【０２３０】
そして、制御部２１０は、記録再生部２０４を制御し、ステップＳ１２０１において選択するようにされた撮像画像を形成する画像データを有する画像ファイルを記録再生部２０４に装着されている記録媒体２５０から読み出し、これをステップＳ１２０２においてアクセスするようにしたサーバー装置に対して送信して（ステップＳ１２０３）、この図２９に示す処理を終了する。
【０２３１】
これにより、この実施の形態の撮像装置は、図４に示したように、ファイル名、ヘッダ情報、使用レンズ情報、画像データからなる画像ファイルや、図２５に示したように、ファイル名、ヘッダ情報、レンズ情報ＵＲＬ、画像データからなる画像ファイルを目的とするサーバー装置にアップロードし、それらを公開することができるようにされる。
【０２３２】
［アップロード先のサーバー装置における処理］
そして、画像ファイルの提供を受けたサーバー装置においては、画像ファイルを種々の通信装置によりアクセス可能な態様に展開して、これを公開するようにする。図３０は、画像ファイルがアップロードされたサーバー装置において実行される画像ファイルの展開処理を説明するためのフローチャートである。
【０２３３】
画像ファイルのアップロードを受け付けるサーバー装置においては、画像ファイルの送信元からのアクセスを受け付けると、図３０に示す処理を実行する。そして、当該サーバー装置においては、送信されてくる画像ファイルを順次に受信して所定の記録媒体に一時記憶する（ステップＳ１３０１）。
【０２３４】
次に、ステップＳ１３０１において所定に記録媒体に記録した画像ファイルを、画像データと、ヘッダ情報や使用レンズ情報等の付随データとに分離し（ステップＳ１３０２）、ステップＳ１３０２において分離した画像データと付随データとを閲覧可能なように例えば、ＨＴＭＬ（Hypertext Markup Language）やＭＨＥＧ（Multimedia and Hypermedia Experts Group）方式の記述言語、その他の種々の記述言語を用いて、画像データと付随データとを、種々のブラウザを通じて閲覧可能なように展開して、これを閲覧データの格納領域に記憶し（ステップＳ１３０３）、一般公衆によって閲覧可能にする。
【０２３５】
なお、一時記憶した画像ファイルにレンズ情報ＵＲＬが含まれている場合には、当該レンズ情報ＵＲＬによって指定される所定のサーバー装置にアクセスして、種々のレンズ情報の取得が可能なように、ステップＳ１３０３の処理において、レンズ情報ＵＲＬが示すレンズ情報の格納先へ迅速に接続できるように、リンクを張ることができるようにしておくようにされる。したがって、表示されたレンズ情報ＵＲＬをクリックするだけで、ユーザーはレンズ情報が格納されたサーバー装置に自動的にアクセスして、目的とするレンズ情報を取得し、これを閲覧することもできるようにされる。
【０２３６】
この図３０に示す処理を実行するプログラムを形成し、これを画像ファイルのアップロード先のサーバー装置において実行可能にしておくことにより、撮影画像を形成する画像データのみならず、当該撮影画像を撮影したときに用いていた交換型レンズに関する種々の情報をも簡単に開示することができるようにされる。すなわち、図３０に示した処理を実行するプログラムが、この発明による情報開示プログラムの一実施の形態である。
【０２３７】
なお、ここでは、一般公衆に閲覧可能にするものとして説明したが、これに限るものではない。例えば、当該サーバー装置にアクセス可能なユーザーにはパスワードを予め発行しておき、適正なパスワードを入力して送信してきた相手先にのみ、画像データや付随データを提供し、パスワードの入力の無い相手先には画像データや付随データを提供しないようにすることもできる。すなわち、サーバー装置側において、画像データや付随データの提供先か否かを判別する認証処理を行うようにすることも可能である。
【０２３８】
また、この第１の実施の形態の撮像装置において用いられる撮像方法は、上述した説明からも分かるように、図１４〜図２２に示したフローチャートに対応する方法として実現される。
【０２３９】
なお、この第１の実施の形態においては、上述した説明からも明らかなように、撮像手段は、撮像素子部２０１が実現し、信号処理手段は、信号処理部２０２が実現し、取得手段は制御部２１０が実現し、生成手段は、記録再生部２０４と制御部２１０とが協働することにより実現し、記録手段は、記録再生部２０４が実現している。
【０２４０】
また、第１の受付手段、第２の受付手段、指示入力受付手段は、キー操作部２０６が実現し、画像読み出し手段、レンズ情報読み出し手段は、記録再生部２０４と制御部２１０とにより実現し、画像表示処理手段、レンズ情報表示処理手段は、制御部２１０と再生処理部２０５とにより実現するようにしている。
【０２４１】
また、判別手段と表示制御手段とは、いずれも制御部２１０の機能として実現するようにしている。また、アップロード手段、通信処理手段は、制御部２１０と通信Ｉ／Ｆ２０７とが実現するようにしている。なお、アップロード手段、通信処理手段は、上述した第１の実施の形態においては、通信Ｉ／Ｆ２０７に接続される携帯電話端末の機能を用いるものとして説明したが、通信Ｉ／Ｆ２０７自体が、通信機能をもつようにすることによって、携帯電話端末などの既存の通信機器を介在させる必要もなくなる。
【０２４２】
［第２の実施の形態］
図３１は、この発明による再生装置、再生方法の一実施の形態が適用された記録再生装置５００について説明するためのブロック図である。この実施の形態の記録再生装置５００は、図３１に示すように、通信インターフェース（以下、通信Ｉ／Ｆという。）５０１、ハードディスクドライブ（以下、ＨＤＤと略称する。）５０２、表示情報生成部５０３、キー操作部５０６、メモリインターフェース（以下、メモリＩ／Ｆという。）５０７、外部インターフェース（以下、外部Ｉ／Ｆという。）５０８を備えたものである。
【０２４３】
制御部５１０は、この実施の形態の再生装置５００の各部を制御するものであり、ＣＰＵ５１１、ＲＯＭ５１２、ＲＡＭ５１３、ＥＥＰＲＯＭ５１４が、ＣＰＵバス５１５を通じて接続されて構成されたマイクロコンピュータである。ここで、ＣＰＵ５１１は、後述するＲＯＭ５１２に記憶保持されているプログラムを読み出して実行し、各部に供給するための制御信号を形成し、これを各部に供給したり、各部から供給されるデータを受け付けてこれを処理したりするなど、この実施の形態の再生装置の制御の主体となるものである。
【０２４４】
ＲＯＭ５１２は、上述したように、ＣＰＵ５１１によって実行される各種のプログラムや処理に必要になる各種のデータなどが予め記憶されたものである。ＲＡＭ５１３は、種々の処理において、その途中結果を一時記憶するなど、主に作業領域として用いられるものである。また、ＥＥＰＲＯＭ５１４は、いわゆる不揮発性メモリであり、再生装置５００の電源が落とされても保持しておくべき情報、例えば、ユーザーが設定するようにした種々のパラメータや機能追加等のために新たに提供されたプログラムなどを記憶保持するものである。
【０２４５】
通信Ｉ／Ｆ５０１は、制御部５１０の制御に応じて、例えばインターネットなどの広域ネットワークを通じて目的とするサーバー装置等にアクセスし、制御部５１０から供給される送信すべきデータから送信用のデータを形成して送信したり、自機宛てに送信されてくるデータを受信して自機において処理可能な形式に変換して制御部５１０に供給したりするなどの処理を行うものである。
【０２４６】
ＨＤＤ５０２は、数百メガバイトから数ギガバイト程度の大容量のハードディスクを内蔵し、制御部５１０の制御に応じて、制御部５１０からのデータをハードディスクに記録したり、ハードディスクに記録されているデータを読み出して制御部５１０に供給したりするものである。
【０２４７】
表示情報生成部５０３は、制御部５１０の制御に応じて、これに供給される種々のデータから表示用のデータを生成し、これを制御部５１０を通じて表示処理部５０４に供給するものである。表示処理部５０４は、これに供給される表示用のデータから表示部５０５に供給する画像信号（映像信号）を形成し、これを表示部５０５に供給するものである。
【０２４８】
表示部５０５は、例えば、ＬＣＤとＬＣＤコントローラとからなるものであり、表示処理部５０４からの画像信号の供給を受けて、これに応じた画像をＬＣＤの表示画面に表示するものである。なお、表示部５０５は、ＬＣＤとＬＣＤコントローラとからなるものとして説明したが、これに限るものではなく、有機ＥＬディスプレイ、ＰＤＰ、ＣＲＴ等の種々の表示素子と、対応するコントローラとからなるものとして構成することも可能である。
【０２４９】
また、表示部５０５は、再生装置５００とは別体のモニタ受像機として構成されたものを用いるようにすることも可能である。すなわち、表示処理部５０４からの画像信号を出力する画像信号の出力端を設け、これにモニタ受像機を接続して利用するようにすることもできる。
【０２５０】
キー操作部５０６は、数字キー、アルファベットキー、上矢印キー、下矢印キー、右矢キー、左矢印キー、種々のファンクションキーなどを備えており、ユーザーからの操作入力を受け付けて、これを電気信号に変換して制御部５１０に供給するものである。これにより、制御部５１０は、ユーザーからの操作入力に応じて各部を制御し、ユーザーの指示に応じた処理を行うことができるようにしている。
【０２５１】
メモリＩ／Ｆ５０７は、メモリカードスロットを備え、これに装着されるメモリカードからデータを読み出して制御部５１０に供給したり、制御部５１０から供給されるデータを当該メモリカードに記録したりするものである。
【０２５２】
また、外部Ｉ／Ｆ５０８は、いわゆるデジタルインターフェースであり、例えば上述した撮像装置などの外部機器を接続し、当該接続した外部機器からのデータを受信して自機において処理可能な形式のデータに変換して制御部５１０に供給したり、制御部５１０からの出力すべきデータから出力用のデータを形成して、これを外部機器に対して出力したりするものである。
【０２５３】
そして、この実施の形態の記録再生装置５００は、上述した第１の実施の形態の撮像装置により画像ファイルが記録された外部メモリ２５０をメモリＩ／Ｆ５０７に装着し、これに記録されている画像ファイル内の画像データやレンズ情報を読み出して利用することができるものである。
【０２５４】
上述した第１の実施の形態の撮像装置においては、図４を用いて説明したように、撮像画像を形成する画像データと、撮像時に用いて交換レンズについてのレンズ情報としてレンズ識別情報、レンズ特徴情報（レンズ詳細情報）、当該交換型レンズの外観図、当該交換型レンズのレンズ構成図などとを有する画像ファイルを形成して記録媒体２５０に記録することができる。
【０２５５】
また、上述した第１の実施の形態の撮像装置においては、図２５を用いて説明したように、撮像画像を形成する画像データと、撮像時に用いて交換レンズについてのレンズ情報の格納先を示すレンズ識別情報ＵＲＬとを有する画像ファイルを形成して記録媒体２５０に記録することができる。
【０２５６】
以下においては、画像データと、当該画像データにより形成される画像を撮影したときに用いていた交換型レンズのレンズ特徴情報、外観図、レンズ構成図といった種々のレンズ情報とを有する画像ファイル（図４を用いて説明した画像ファイル）を利用する場合と、画像データと、当該画像データにより形成される画像を撮影したときに用いていた交換型レンズのレンズ情報ＵＲＬとを有する画像ファイル（図２５を用いて説明した画像ファイル）を利用する場合とに分けて、この第２の実施の形態の記録再生装置における画像ファイルの再生処理について説明する。
【０２５７】
［図４に示した画像ファイルを利用する場合］
図３２は、図４を用いて説明したように、画像データと、当該画像データが形成する撮影画像を撮影したときに用いていた交換型レンズについてのレンズ識別情報、レンズ特徴情報（レンズ詳細情報）、当該交換型レンズの外観図、当該交換型レンズのレンズ構成図などからなるレンズ情報とを含む画像ファイルが記録されている記録媒体２５０から、当該画像データを読み出して利用する場合について説明するための図である。
【０２５８】
図３２に示すように、画像データと種々のレンズ情報を有する画像ファイル（図４に示した画像ファイル）が記録された記録媒体２５０が、メモリＩ／Ｆ５０７を通じて図３１に示した記録再生装置５００に装着するようにされる。
【０２５９】
そして、キー操作部５０６を通じて撮影画像の再生が指示するようにされた場合には、記録再生装置５００の制御部５１０がメモリＩ／Ｆ５０７を制御して目的とする画像ファイルから画像データを読み出し、これを表示情報生成部５０３に供給する。表示情報生成部５０３は、供給された画像データを圧縮解凍し、圧縮解凍した画像データから表示処理部５０４に供給する形式の画像データ（ＹＣデータ）を生成して、これを表示処理部５０４に供給する。
【０２６０】
表示処理部５０４は、表示情報生成部５０３からの画像データから表示部５０５に供給する画像信号を形成し、これを表示部５０５に供給する。表示部５０５においては、表示処理部５０４からの画像信号を、ＬＣＤコントローラを通じてＬＣＤに供給し、当該ＬＣＤの表示画面に撮影画像を表示することができるようにされる。
【０２６１】
このように、この実施の形態の記録再生装置５００において、制御部５１０、表示情報生成部５０３、表示処理部５０４が、撮影画像等の情報の再生処理を行う再生処理部を形成し、この再生処理部によって処理された情報が、表示部５０５に供給されて表示するようにされる。
【０２６２】
そして、この第２の実施の形態の記録再生装置５００の場合にも、図６に示したように、「画質調整」、「削除」、「レンズ情報」などの項目を選択項目として有する通常のメニューＭＮを表示し、「レンズ情報」が選択されたときには、図７を示したように「外観図」、「レンズ構成」、「レンズ詳細」などの項目を選択項目とするレンズ情報メニューＬＭＮを表示して、図８〜図１１に示したような、撮影時に用いていた交換型レンズの外観図（図８）、レンズ構成図（図９）、レンズ詳細情報（図１０、図１１）を表示することもできるようにしている。
【０２６３】
具体的には、メニューＭＮやレンズ情報メニューＬＭＮは、制御部５１０の制御に応じて、表示情報生成部５０３が生成し、制御部５１０、表示処理部５０４を通じて表示部５０５に供給することにより、表示部５０５のＬＣＤの表示画面に表示することができる。すなわち、図３２における再生処理部で形成したメニューＭＮやレンズ情報メニューＬＭＮを表示部５０５に供給することによって、メニューＭＮやレンズ情報メニューＬＭＮを表示することができる。
【０２６４】
また、交換型レンズの外観図、レンズ構成図、レンズ詳細情報は、制御部５１０が、表示対象の撮像画像を形成する画像データが格納されていた画像ファイルから読み出して、これを表示情報生成部５０３と表示処理部５０４とを介して表示部５０５に供給することによって、表示した撮影画像を撮影したときに用いていた交換型レンズについての外観図、レンズ構成図、レンズ詳細情報をも表示部５０５のＬＣＤの表示画面に表示することができる。
【０２６５】
このように、この実施の形態の記録再生装置５００のメモリＩ／Ｆ５０７に、図４を用いて説明した構成の画像ファイルが記録された記録媒体２５０が装着された場合には、記録媒体２５０に記録されている画像ファイル内の画像データと、これに付随するレンズ情報とを表示して利用することができる。
【０２６６】
したがって、図３１に示した構成の記録再生装置５００においても、図１５〜図１７を用いて説明した撮影画像再生処理が実行され、図１７に示したステップＳ４３０、ステップＳ４３２、ステップＳ４３４の各処理においては、図１８、図１９、図２０を用いて説明した外観図の表示処理、レンズ構成図の表示処理、レンズ詳細情報の表示処理が行われることになる。
【０２６７】
［図２５に示した画像ファイルを利用する場合］
図３３は、図２５を用いて説明したように、画像ファイルに画像データと、レンズ情報として当該画像データが形成する撮影画像を撮影したときに用いていた交換型レンズについてのレンズ情報ＵＲＬとを含む画像ファイルが記録されている記録媒体２５０から、当該画像データを読み出して利用する場合について説明するための図である。
【０２６８】
図３３に示すように、画像データとレンズ情報ＵＲＬを有する画像ファイル（図２５に示した画像ファイル）が記録された記録媒体２５０が、メモリＩ／Ｆ５０７を通じて図３１に示した記録再生装置５００に装着される。
【０２６９】
そして、キー操作部５０６を通じて撮影画像の再生が指示するようにされた場合には、記録再生装置５００の制御部５１０がメモリＩ／Ｆ５０７を制御して目的とする画像ファイルから画像データを読み出し、これを表示情報生成部５０３に供給する。表示情報生成部５０３は、供給された画像データを圧縮解凍し、圧縮解凍した画像データから表示処理部５０４に供給する形式の画像データ（ＹＣデータ）を生成して、これを表示処理部５０４に供給する。
【０２７０】
表示処理部５０４は、表示情報生成部５０３からの画像データから表示部５０５に供給する画像信号を形成し、これを表示部５０５に供給する。表示部５０５においては、表示処理部５０４からの画像信号を、ＬＣＤコントローラを通じてＬＣＤに供給し、当該ＬＣＤの表示画面に撮影画像を表示することができるようにされる。
【０２７１】
このように、この実施の形態の記録再生装置５００において、制御部５１０、表示情報生成部５０３、表示処理部５０４が、撮影画像等の情報の再生処理を行う再生処理部を形成し、この再生処理部によって処理された情報が、表示部５０５に供給されて表示するようにされる。
【０２７２】
そして、この第２の実施の形態の記録再生装置５００の場合にも、図６に示したように、「画質調整」、「削除」、「レンズ情報」などの項目を選択項目として有する通常のメニューＭＮを表示し、「レンズ情報」が選択されたときには、図７を示したように「外観図」、「レンズ構成」、「レンズ詳細」などの項目を選択項目とするレンズ情報メニューＬＭＮを表示して、図８〜図１１に示したような、撮影時に用いていた交換型レンズの外観図（図８）、レンズ構成図（図９）、レンズ詳細情報（図１０、図１１）を表示することもできるようにしている。
【０２７３】
具体的には、メニューＭＮやレンズ情報メニューＬＭＮは、制御部５１０の制御に応じて、表示情報生成部５０３が生成し、制御部５１０、表示処理部５０４を通じて表示部５０５に供給することにより、表示部５０５のＬＣＤの表示画面に表示することができる。すなわち、図３２における再生処理部で形成したメニューＭＮやレンズ情報メニューＬＭＮを表示部５０５に供給することによって、メニューＭＮやレンズ情報メニューＬＭＮを表示することができる。
【０２７４】
そして、画像ファイルに撮影時に用いた交換型レンズの外観図、レンズ構成図、レンズ特徴情報等のレンズ情報が存在せず、レンズ情報ＵＲＬが存在する場合には、レンズ情報メニューＬＭＮを表示する前に、レンズ情報ＵＲＬを用いて、所定のサーバー装置４０２にアクセスし、当該レンズ情報ＵＲＬに応じて、交換型レンズの外観図、レンズ構成図、レンズ詳細情報等のレンズ情報をダウンロードしてきて取得し、制御部５１０のＥＥＰＲＯＭ５１４等に記憶保持して、ダウンロードしてきた種々のレンズ情報をすぐに利用できる状態にした後に、レンズ情報メニューを表示する。
【０２７５】
このようにすることにより、交換型レンズの外観図、レンズ構成図、レンズ詳細情報については、制御部５１０が、ＥＥＰＲＯＭ５１４から読み出して、これを表示情報生成部５０３と表示処理部５０４とを介して表示部５０５に供給することによって、表示した撮影画像を撮影したときに用いていた交換型レンズについての外観図、レンズ構成図、レンズ詳細情報をも表示部５０５のＬＣＤの表示画面に表示することができる。
【０２７６】
このように、この実施の形態の記録再生装置５００のメモリＩ／Ｆ５０７に、図２５を用いて説明した構成の画像ファイルが記録された記録媒体２５０が装着された場合には、記録媒体２５０に記録されている画像ファイル内の画像データを再生することができる。また、当該画像データによって形成される撮像画像を撮像したときに用いていた交換型レンズのレンズ情報については、当該画像ファイルに存在するレンズ情報ＵＲＬを用いて所定のサーバー装置４０２にアクセスして、当該サーバー装置４０２からダウンロードしてきて表示することができるようにされる。
【０２７７】
したがって、図３１に示した構成の記録再生装置５００においても、図１５、図１６、図２７を用いて説明した撮影画像再生処理が実行され、図２７に示したステップＳ４３０、ステップＳ４３２、ステップＳ４３４の各処理においては、図１８、図１９、図２０を用いて説明した外観図の表示処理、レンズ構成図の表示処理、レンズ詳細情報の表示処理が行われることになる。この場合、外観図を形成するデータ、レンズ構成図を形成するデータ、レンズ詳細情報は、ＥＥＰＲＯＭ５１４に記憶保持されているものを用いることになる。
【０２７８】
図３２、図３３を用いて説明したように、この第２の実施の形態の記録再生装置５００においても、第１の実施の形態の撮像装置の場合と同様に、記録媒体２５０に記録されている画像ファイルの画像データや交換型レンズのレンズ情報を再生したり、交換型レンズのレンズ情報を所定のサーバー装置からダウンロードしてきて再生したりすることができるものである。
【０２７９】
なお、ここでは、メモリＩ／Ｆ５０７に装着された記録媒体２５０に記録されている画像ファイルの情報を再生する場合について説明したが、これに限るものではない。例えば、外部Ｉ／Ｆ５０８に撮像装置を接続するようにし、撮像装置の記録再生部２０４に装着されている記録媒体２５０から画像データ、レンズ情報、レンズ情報ＵＲＬを読み出してきて、この第２の実施の形態の記録再生装置５００において利用するようにすることもできる。
【０２８０】
また、メモリＩ／Ｆ５０７に装着された記録媒体から、制御部５１０がメモリＩ／Ｆ５０７を通じて画像ファイルを読み出して、ＨＤＤ５０２に記録し、このＨＤＤ５０２に記録した画像ファイルを用いるようにすることもできる。同様に、外部Ｉ／Ｆ５０８に接続された撮像装置などの外部機器から画像ファイルを取得し、これをＨＤＤ５０２に記録して、この画像ファイルを利用するようにすることもできる。
【０２８１】
［画像データのアップロードについて］
また、この第２の実施の形態の記録再生装置５００は、上述もしたように通信Ｉ／Ｆ５０１を備えており、メモリＩ／Ｆ５０７に装着された記録媒体２５０に記録されている画像ファイルや、外部Ｉ／Ｆ５０８に装着された撮像装置などの外部機器から取得する画像ファイル、あるいは、ＨＤＤ５０２のハードディスクに記録されている画像ファイルなどを、通信Ｉ／Ｆ５０１を通じて送出し、目的とするサーバー装置にアップロードすることもできる。
【０２８２】
図３４は、この第２の実施の形態の記録再生装置５００が、画像ファイルをアップロードする場合について説明するための図である。図３４に示すように、画像データと種々のレンズ情報を有する画像ファイル（図４に示した画像ファイル）が記録された記録媒体２５０が、メモリＩ／Ｆ５０７を通じて図３１に示した記録再生装置５００に装着される。
【０２８３】
キー操作部５０６を通じて、画像ファイルをアップロードすることの指示入力を受け付けると、制御部５１０は、キー操作部５０６を通じてアップロードする画像データの選択入力を受け付けるようにすう。そして、制御部５１０は、ＥＥＰＲＯＭ５１４に予め保持している画像データのアップロード先のサーバー装置４０３のＵＲＬを用い、通信Ｉ／Ｆ５０１とインターネット等のネットワーク４００を通じて当該アップロード先のサーバー装置４０２にアクセスする。
【０２８４】
この後、制御部５１０は、選択された画像データを有する画像ファイルをメモリＩ／Ｆ５０７を通じて記録媒体２５０から読み出し、これを通信Ｉ／Ｆ５０１を通じて、アクセスしているアップロード先のサーバー装置４０３に対して送信する。これにより、ユーザーにより選択された画像ファイルを目的とするアップロード先のサーバー装置４０３にアップロードすることができる。
【０２８５】
すなわち、この第２の実施の形態の記録再生装置５００においても、図２９を用いて説明した画像ファイルのアップロード処理を実行し、自機に装着された記録媒体２５０に保持されている画像ファイルを、目的とするサーバー装置にアップロードし、一般公衆に開示することができる。
【０２８６】
また、この場合、アップロード先のサーバー装置４０３においては、図３０を用いて説明した画像ファイルの展開処理を行うことによって、一般公衆がブラウザを用いて閲覧することができるようにされる。
【０２８７】
［画像ファイルのダウンロードについて］
また、この第２の実施の形態の記録再生装置５００は、所定のサーバー装置４０３にアップロードされている画像データをダウンロードしてきてこれを利用することもできる。図３５は、この第２の実施の形態の記録再生装置５００が、画像ファイルをダウンロードしてきて利用する場合について説明するための図である。
【０２８８】
すなわち、この実施の形態の記録再生装置５００は、通信Ｉ／Ｆ５０１を備えている。このため、キー操作部５０６を通じて所定のサーバー装置にアクセスすることに指示入力を受け付けると、制御部５１０は、受け付けた指示入力に応じて、通信Ｉ／Ｆ５０１を制御し、ネットワーク４００を通じて目的とするサーバー装置４０３にアクセスし、ダウンロード可能な画像ファイルの画像データに応じたサムネイル画像の一覧表示情報の提供を受け、これを表示処理部５０４を通じて表示部５０５に供給することにより、サムネイル画像の一覧表示を表示部５０５のＬＣＤの表示画面に表示する。
【０２８９】
そして、キー操作部５０６を通じて、ダウンロードする画像の選択入力を受け付け、選択された画像の画像ファイルの提供要求を形成して、これをアクセスしているサーバー装置４０３に送信する。これにより、当該サーバー装置４０３から、提供を要求した画像ファイルが送信されてくるので、記録再生装置５００は通信Ｉ／Ｆを通じてこれを受信し、ＨＤＤ５０２などの所定の記録媒体に格納して、これを利用することができるようにされる。
【０２９０】
なお、この第２の実施の形態においては、上述した説明からも明らかなように、第１の受付手段、第２の受付手段、指示入力手段は、キー操作部５０６が実現し、画像読み出し手段、レンズ情報読み出し手段、ＵＲＬ読み出し手段は、メモリＩ／Ｆ５０７と制御部５１０とにより実現し、画像表示処理手段、レンズ情報表示処理手段は、制御部５１０と表示情報生成部５０３と表示処理部５０４とにより実現するようにしている。また、アップロード手段、通信処理手段は、制御部５１０と通信Ｉ／Ｆ５０１とが実現するようにしている。
【０２９１】
また、この第２の実施の形態の再生装置において用いられる再生方法は、上述した説明からも分かるように、図１５〜図２０に示したフローチャート、図２７、図２８に示したフローチャートに対応する方法として実現される。
【０２９２】
また、上述した第１、第２の実施の形態から分かるように、この発明を用いることにより、画像ファイル内に種々のレンズ情報を自動的に格納することができるので、画像ファイルが転送されて利用されるような場合であっても、画像ファイル内の画像データを利用する場合には、撮影時に使用した交換型レンズのレンズ情報を確認することができる。
【０２９３】
また、画像ファイル内にレンズ情報ＵＲＬを格納しておくことにより、少ないデータ量で交換型レンズに関連した多くのレンズ情報を取得したり、目的とする情報へのアクセスを容易にしたりすることができる。したがって、レンズ情報の内容に追加や変更が生じた場合であっても、これに容易に対応することができる。
【０２９４】
また、レンズ情報が格納された画像ファイルをサーバー装置にアップロードすることができ、しかも、画像データとレンズ情報等の付随情報との分離や、閲覧可能な状態にすることなどをサーバー装置側で行うことができるので、画像ファイルのみのアップロードで容易にレンズ情報等の付随データを含めたウェブページを作成することができるようにされる。
【０２９５】
また、上述した第１、第２の実施の形態の説明からも分かるように、この発明による情報開示プログラムは、図３０に対応するプログラムとして実現される。
【０２９６】
なお、この発明による撮像装置、撮像方法は、交換型レンズの利用が可能な種々のデジタルカメラに適用することが可能であり、静止画を撮影するデジタルスチルカメラの他に、動画を撮影するデジタルビデオカメラにも適用することが可能である。
【０２９７】
また、この発明による再生装置、再生方法は、画像ファイルの利用が可能な画像再生装置、画像記録再生装置、パーソナルコンピュータなどの情報処理装置など、画像ファイルの処理が可能な情報処理装置に適用可能である。
【０２９８】
また、上述した実施の形態においては、レンズ情報ＵＲＬを用いることにより、種々のレンズ情報をネットワーク上のサーバー装置から取得することができることを説明したが、レンズ情報だけに限るものではない。例えば、同じ交換型レンズを用いて撮影した撮像画像にアクセスすることができるなど、レンズ情報以外の情報にアクセスできるように資することもできる。
【０２９９】
さらに、レンズ情報やレンズ情報ＵＲＬに加えて、撮影者情報を画像ファイルに付加するようにすることも可能である。撮影者情報は、例えば、撮影者の氏名、プロフィール、顔写真などの情報である。氏名やプロフィールは、カメラ本体２００に設けられているキー操作部２０６を通じて入力することができるし、顔写真は、当該撮像装置を通じて撮影することにより得た画像の中から選択するなどのことができるようにさえる。これらの撮影者情報は、ＥＥＰＲＯＭ２１４に記憶保持させておくことが可能である。
【０３００】
また、撮影者情報である、撮影者の氏名、プロフィール、顔写真などの情報を、パーソナルコンピュータなどの外部機器で作成し、通信Ｉ／Ｆ２０７を通じて提供を受けて、これをＥＥＰＲＯＭ２１４に記憶保持させておくようにすることも可能である。
【０３０１】
また、家族で１台の撮像装置を共用する場合には、複数の撮影者の撮影者情報を予めＥＥＰＲＯＭ２１４に記憶させておき、この中から撮影を行う撮影者の撮影者情報を撮影時において選択することにより、複数のユーザーが１台の撮像装置を用いる場合にも、対応することが可能である。
【０３０２】
このように、レンズ情報に加え、撮影者情報をも付加しておくことにより、例えば、同じレンズを用いて撮影を行った場合でも、撮影者ごとに撮影画像を特定することができるなどの効果を奏することができる。
【図面の簡単な説明】
【０３０３】
【図１】この発明による撮像装置、撮像方法の一実施の形態が適用された撮像装置について説明するためのブロック図である。
【図２】図１に示した撮像装置の機能について説明するためのブロック図である。
【図３】レンズ情報メモリ１０１に記憶保持されるレンズ情報の具体例を説明するための図である。
【図４】記録媒体２５０に記録される画像ファイルの具体例を説明するための図である。
【図５】画像ファイルの情報の再生態様の具体例を説明するための図である。
【図６】画像ファイルの情報の再生態様の具体例を説明するための図である。
【図７】画像ファイルの情報の再生態様の具体例を説明するための図である。
【図８】画像ファイルの情報の再生態様の具体例を説明するための図である。
【図９】画像ファイルの情報の再生態様の具体例を説明するための図である。
【図１０】画像ファイルの情報の再生態様の具体例を説明するための図である。
【図１１】画像ファイルの情報の再生態様の具体例を説明するための図である。
【図１２】カメラ本体２００の制御部２１０において実行されるレンズ情報取得処理を説明するためのフローチャートである。
【図１３】カメラ本体２００の制御部２１０において実行されるレンズ情報消去処理を説明するためのフローチャートである。
【図１４】カメラ本体２００の制御部２１０において実行される撮影処理を説明するためのフローチャートである。
【図１５】カメラ本体２００の制御部２１０によって行うようにされる撮像画像等の再生処理を説明するためのフローチャートである。
【図１６】図１５に続くフローチャートである。
【図１７】図１６に続くフローチャートである。
【図１８】図１７のステップＳ４３０において実行される交換型レンズの外観図の表示処理について説明するためのフローチャートである。
【図１９】図１７のステップＳ４３２において実行される交換型レンズのレンズ構成図の表示処理について説明するためのフローチャートである。
【図２０】図１７のステップＳ４３４において実行される交換型レンズのレンズ詳細情報の表示処理について説明するためのフローチャートである。
【図２１】交換型レンズの外観図の表示を制限する場合の撮像画像等の再生処理（撮像画像再生処理の第１の他の例）を説明するためのフローチャートである。
【図２２】交換型レンズの全レンズ情報の表示を制限する場合の撮像画像等の再生処理（撮像画像再生処理の第２の他の例）を説明するためのフローチャートである。
【図２３】レンズ情報としてＵＲＬをも用いる場合の撮像装置の機能について説明するためのブロック図である。
【図２４】レンズ情報メモリ１０１に記憶保持されるレンズ情報の具体例を説明するための図である。
【図２５】記録媒体２５０に記録される画像ファイルを具体例を説明するための図である。
【図２６】携帯電話端末と協働して所定のサーバー装置からレンズ情報を取得して利用する場合について説明するための図である。
【図２７】レンズ情報ＵＲＬを用いる場合であって、通常のメニューＭＮから選択項目である「レンズ情報」が選択された場合に実行される処理を説明するためのフローチャートである。
【図２８】レンズ情報ＵＲＬを用いる場合において、撮像装置を構成するカメラ本体２００の制御部２１０において実行されるレンズ情報の取得処理を説明するためのフローチャートである。
【図２９】画像ファイルのアップロード処理について説明するためのフローチャートである。
【図３０】画像ファイルがアップロードされたサーバー装置において実行される画像ファイルの展開処理を説明するためのフローチャートである。
【図３１】この発明による再生装置、再生方法の一実施の形態が適用された記録再生装置５００について説明するためのブロック図である。
【図３２】画像データと種々のレンズ情報とを含む画像ファイルの情報を利用する場合について説明するための図である。
【図３３】画像データとレンズ情報ＵＲＬとを含む画像ファイルの情報を利用する場合について説明するための図である。
【図３４】記録再生装置５００が、画像ファイルをアップロードする場合について説明するための図である。
【図３５】記録再生装置５００が、画像ファイルをダウンロードしてきて利用する場合について説明するための図である。
【符号の説明】
【０３０４】
１００…交換型レンズ、１０１…レンズ情報メモリ、２００…カメラ本体、２０１…撮像素子部、２０２…信号処理部、２０３…表示部、２０４…記録再生部、２０５…再生処理部、２０６…キー操作部、２０７…通信Ｉ／Ｆ、２１０…制御部、２１１…ＣＰＵ、２１２…ＲＯＭ、２１３…ＲＡＭ、２１４…ＥＥＰＲＯＭ、２１５…ＣＰＵバス、２５０…記録媒体、３００…携帯電話端末、４００…ネットワーク、４０１…基地局、４０２、４０３…サーバー装置、５００…記録再生装置、５０１…通信Ｉ／Ｆ、５０２…ＨＤＤ、５０３…表示情報生成部、５０６…キー操作部、５０７…メモリＩ／Ｆ、５０８…外部Ｉ／Ｆ
【図１】
2009177683.tif 000003
【図２】
2009177683.tif 000004
【図３】
2009177683.tif 000005
【図４】
2009177683.tif 000006
【図５】
2009177683.tif 000007
【図６】
2009177683.tif 000008
【図７】
2009177683.tif 000009
【図９】
2009177683.tif 000010
【図１０】
2009177683.tif 000011
【図１１】
2009177683.tif 000012
【図１２】
2009177683.tif 000013
【図１３】
2009177683.tif 000014
【図１４】
2009177683.tif 000015
【図１５】
2009177683.tif 000016
【図１６】
2009177683.tif 000017
【図１７】
2009177683.tif 000018
【図１８】
2009177683.tif 000019
【図１９】
2009177683.tif 000020
【図２０】
2009177683.tif 000021
【図２１】
2009177683.tif 000022
【図２２】
2009177683.tif 000023
【図２３】
2009177683.tif 000024
【図２４】
2009177683.tif 000025
【図２５】
2009177683.tif 000026
【図２６】
2009177683.tif 000027
【図２７】
2009177683.tif 000028
【図２８】
2009177683.tif 000029
【図２９】
2009177683.tif 000030
【図３０】
2009177683.tif 000031
【図３１】
2009177683.tif 000032
【図３２】
2009177683.tif 000033
【図３３】
2009177683.tif 000034
【図３４】
2009177683.tif 000035
【図３５】
2009177683.tif 000036
【図８】
2009177683.tif 000037